(57)【要約】【課題】基地局を含む無線通信システム全体で、リアルタイム性を有するデータを優先して伝送する。【解決手段】ネットワーク構築部５０３は、自身が構築した無線ネットワークで他の無線通信端末と接続する際、他の無線通信端末が対応するストリーミングデータのフォーマット情報を取得する第１接続処理と、当該フォーマット情報を取得しない第２接続処理との何れかを行う。通信制御部５０２は、第１接続端末を接続の対象として第１接続処理が行われ、かつ、第２接続端末を接続の対象として第２接続処理が行われた場合、無線通信のデータリンクレベルの送信権の獲得確率が、第２接続端末よりも自身の無線通信端末のほうが高くなる通信パラメータを無線通信部５０６に設定する、又は、自身の無線通信端末よりも第２接続端末のほうが低くなる通信パラメータを第２接続端末に設定させる制御データを無線通信部５０６から第２接続端末に送信させる。【選択図】図５
2014082617.tif 000002
【特許請求の範囲】
【請求項１】
無線通信端末であって、
コンテンツのストリーミングに用いるストリーミングデータ、及び前記ストリーミングの制御に用いる制御データの無線通信を行う無線通信部と、
無線ネットワークを構築し、構築した無線ネットワークに対する他の無線通信端末からの接続要求が前記無線通信部によって受信されて前記他の無線通信端末と接続する際、前記他の無線通信端末が対応するストリーミングデータのフォーマット情報を取得する第１接続処理と、当該フォーマット情報を取得しない第２接続処理との何れかを行うネットワーク構築部と、
第１接続端末を接続の対象として前記第１接続処理が行われ、かつ、第２接続端末を接続の対象として前記第２接続処理が行われた場合、無線通信のデータリンクレベルの送信権の獲得確率が、前記第２接続端末よりも自身の無線通信端末のほうが高くなる通信パラメータを前記無線通信部に設定する、又は、自身の無線通信端末よりも前記第２接続端末のほうが低くなる通信パラメータを前記第２接続端末に設定させる前記制御データを前記無線通信部から前記第２接続端末に送信させる通信制御部と、
を備える無線通信端末。
【請求項２】
前記通信制御部は、自身の無線通信端末よりも前記第２接続端末のほうが、送信権の獲得待機期間が長くなる通信パラメータを含む前記制御データを前記無線通信部から前記第２接続端末に送信させる請求項１に記載の無線通信端末。
【請求項３】
前記通信パラメータはフレーム送信間隔又は送信待ちスロット数の乱数値である請求項２に記載の無線通信端末。
【請求項４】
前記通信制御部は、送信権の獲得待機期間が初期値よりも長くなる通信パラメータを含む前記制御データを前記無線通信部から前記第２接続端末に送信させる請求項１に記載の無線通信端末。
【請求項５】
前記通信制御部は、前記送信権の獲得待機時間を規定する複数の通信パラメータを含む送信権獲得カテゴリに関して、前記第２接続端末との無線通信における送信権獲得カテゴリを、前記第１接続端末との無線通信における送信権獲得カテゴリよりも前記送信権の獲得確率が低くなる送信権獲得カテゴリに制限する前記制御データを前記無線通信部から前記第２接続端末に送信させる請求項１に記載の無線通信端末。
【請求項６】
前記通信制御部は、前記送信権の獲得待機時間を規定する複数の通信パラメータを含む送信権獲得カテゴリに関して、前記第１接続端末と無線通信を行う際、前記第２接続端末との無線通信における送信権獲得カテゴリよりも前記送信権の獲得確率が高くなる送信権獲得カテゴリに含まれる前記複数の通信パラメータを前記無線通信部に設定する請求項１に記載の無線通信端末。
【請求項７】
通信プロトコルで規定されている送信権獲得カテゴリよりも優先度が高い送信権獲得カテゴリを生成する生成部を更に有し、
前記通信制御部は、前記生成部によって生成された送信権獲得カテゴリに含まれる前記複数の通信パラメータを前記無線通信部に設定する請求項６に記載の無線通信端末。
【請求項８】
前記生成部は、通信プロトコルで規定されている、音声データに関する送信権獲得カテゴリよりも優先度が高い送信権獲得カテゴリを生成する請求項７に記載の無線通信端末。
【請求項９】
前記通信制御部は、前記第１接続端末に対するストリーミングデータの送信状況に応じて、前記第２接続端末との無線通信を抑制する前記制御データを前記無線通信部から前記第２接続端末に送信させる請求項１に記載の無線通信端末。
【請求項１０】
前記第１接続端末におけるストリーミングデータのバッファ量が所定の量を下回っているか否かを判定する判定部を更に有し、
前記無線通信部は更に、前記第１接続端末から、ストリーミングデータのバッファ量を示す前記制御データを受信し、
前記通信制御部は、前記無線通信部によって受信された前記制御データが示すバッファ量が所定の量を下回っていると前記判定部によって判定された場合、前記第２接続端末との無線通信を抑制する前記制御データを前記無線通信部から前記第２接続端末に送信させる請求項９に記載の無線通信端末。
【請求項１１】
前記第１接続端末に送信したストリーミングデータのフレーム数が所定の数を下回っているか否かを判定する判定部を更に有し、
前記通信制御部は、前記フレーム数が所定の数を下回っていると前記判定部によって判定された場合、前記第２接続端末との無線通信を抑制する前記制御データを前記無線通信部から前記第２接続端末に送信させる請求項９に記載の無線通信端末。
【請求項１２】
前記判定部は、前記第１接続端末に送信したストリーミングデータのフレーム数を保持し、前記第１接続端末にストリーミングデータが送信されると、送信されたストリーミングデータのフレーム数に応じて、保持しているフレーム数を更新し、当該フレーム数が所定の数になった場合、当該フレーム数を初期値にリセットする請求項１１に記載の無線通信端末。
【請求項１３】
前記通信制御部は、前記無線通信部による前記第１接続端末に対するストリーミングデータの無線通信が終了した場合、前記第１接続端末との間で確立された接続を切断する切断処理を前記ネットワーク構築部に行わせ、前記切断処理が行われた場合、前記無線通信部に設定された前記通信パラメータを元に戻す、又は、前記第２接続端末に設定された前記通信パラメータを元に戻す前記制御データを前記無線通信部から前記第２接続端末に送信させる請求項１に記載の無線通信端末。
【請求項１４】
前記通信制御部は、前記切断処理が行われた場合、前記無線通信部に設定された前記通信パラメータを初期値に戻す、又は、前記第２接続端末に設定された前記通信パラメータを初期値に戻す制御データを前記無線通信部から前記第２接続端末に送信させる請求項１３に記載の無線通信端末。
【請求項１５】
他の端末にストリーミングデータを送信するトリガをユーザから受け付ける操作部を更に有し、
前記ネットワーク構築部は、前記トリガを受け付け、前記接続要求が前記無線通信部によって受信された場合、前記第１接続処理を行う請求項１に記載の無線通信端末。
【請求項１６】
無線ネットワークを構築し、コンテンツのストリーミングに用いるストリーミングデータ、及び前記ストリーミングの制御に用いる制御データの無線通信を行う無線通信端末が、
前記無線ネットワークに対する第１接続端末からの接続要求が無線通信部によって受信された後、前記第１接続端末が対応するストリーミングデータのフォーマット情報を取得して前記第１接続端末と接続する第１接続処理を行うステップと、
前記無線ネットワークに対する第２接続端末からの接続要求が前記無線通信部によって受信された後、前記フォーマット情報を取得せずに前記第２接続端末と接続する第２接続処理を行うステップと、
無線通信のデータリンクレベルの送信権の獲得確率が、前記第２接続端末よりも前記無線通信端末のほうが高くなる通信パラメータを前記無線通信部に設定する、又は、前記無線通信端末よりも前記第２接続端末のほうが低くなる通信パラメータを前記第２接続端末に設定させる制御データを前記無線通信部から前記第２接続端末に送信させるステップと、
を備える無線通信方法。
【請求項１７】
無線ネットワークを構築し、コンテンツのストリーミングに用いるストリーミングデータ、及び前記ストリーミングの制御に用いる制御データの無線通信を行う無線通信端末のコンピュータに、
前記無線ネットワークに対する第１接続端末からの接続要求が無線通信部によって受信された後、前記第１接続端末が対応するストリーミングデータのフォーマット情報を取得して前記第１接続端末と接続する第１接続処理を行うステップと、
前記無線ネットワークに対する第２接続端末からの接続要求が前記無線通信部によって受信された後、前記フォーマット情報を取得せずに前記第２接続端末と接続する第２接続処理を行うステップと、
無線通信のデータリンクレベルの送信権の獲得確率が、前記第２接続端末よりも前記無線通信端末のほうが高くなる通信パラメータを前記無線通信部に設定する、又は、前記無線通信端末よりも前記第２接続端末のほうが低くなる通信パラメータを前記第２接続端末に設定させる制御データを前記無線通信部から前記第２接続端末に送信させるステップと、
を実行させるためのプログラム。
【発明の詳細な説明】
【技術分野】
【０００１】
本発明は、映像や音声等のコンテンツのストリーミングに用いるストリーミングデータの無線通信を行う技術に関する。
【背景技術】
【０００２】
リアルタイム性の高い通信プロトコルで通信を行う端末に対し、キャリアビジー後の再送信開始時間を短縮することで優先的にデータ伝送を行わせる無線通信システムが特許文献１で開示されている。特許文献１で開示されている無線通信システムは、通信プロトコルと再接続要求時間設定ウィンドウ値とが関連付けられた情報が管理システムにより基地局に設定され、基地局が、使用する通信プロトコルに応じた再接続要求時間設定ウィンドウ値を各端末に設定することで、リアルタイム性を要する通信プロトコルで通信を行う端末に優先的にデータ伝送を行わせることが可能となる、無線通信システムである。
【先行技術文献】
【特許文献】
【０００３】
【特許文献１】特開２００５−２０６５６号公報
【発明の概要】
【発明が解決しようとする課題】
【０００４】
しかしながら、特許文献１で開示されている無線通信システムは、基地局に接続している端末に対してデータ伝送の優先度を設定する無線通信システムであって、基地局自体が保有しているデータを基地局が外部端末に伝送する場合、基地局自体には優先度が設定されないため、たとえ最もリアルタイム性の高いデータを基地局が保持していても優先的にデータ伝送を行うことができない。また、特許文献１で開示されている無線通信システムにおいて、基地局自体が保有しているデータを基地局が外部端末に伝送することは記載されていない。
【０００５】
本発明は、上述した課題に鑑みてなされたものであって、基地局自体が保有しているデータを基地局が外部端末に伝送する無線通信システムであっても、基地局を含む無線通信システム全体で、リアルタイム性を有するデータを優先して伝送することを目的とする。
【課題を解決するための手段】
【０００６】
本発明は、上記の課題を解決するためになされたもので、無線通信端末であって、コンテンツのストリーミングに用いるストリーミングデータ、及び前記ストリーミングの制御に用いる制御データの無線通信を行う無線通信部と、無線ネットワークを構築し、構築した無線ネットワークに対する他の無線通信端末からの接続要求が前記無線通信部によって受信されて前記他の無線通信端末と接続する際、前記他の無線通信端末が対応するストリーミングデータのフォーマット情報を取得する第１接続処理と、当該フォーマット情報を取得しない第２接続処理との何れかを行うネットワーク構築部と、第１接続端末を接続の対象として前記第１接続処理が行われ、かつ、第２接続端末を接続の対象として前記第２接続処理が行われた場合、無線通信のデータリンクレベルの送信権の獲得確率が、前記第２接続端末よりも自身の無線通信端末のほうが高くなる通信パラメータを前記無線通信部に設定する、又は、自身の無線通信端末よりも前記第２接続端末のほうが低くなる通信パラメータを前記第２接続端末に設定させる前記制御データを前記無線通信部から前記第２接続端末に送信させる通信制御部と、を備える無線通信端末である。
【０００７】
また、本発明は、無線ネットワークを構築し、コンテンツのストリーミングに用いるストリーミングデータ、及び前記ストリーミングの制御に用いる制御データの無線通信を行う無線通信端末が、前記無線ネットワークに対する第１接続端末からの接続要求が無線通信部によって受信された後、前記第１接続端末が対応するストリーミングデータのフォーマット情報を取得して前記第１接続端末と接続する第１接続処理を行うステップと、前記無線ネットワークに対する第２接続端末からの接続要求が前記無線通信部によって受信された後、前記フォーマット情報を取得せずに前記第２接続端末と接続する第２接続処理を行うステップと、無線通信のデータリンクレベルの送信権の獲得確率が、前記第２接続端末よりも前記無線通信端末のほうが高くなる通信パラメータを前記無線通信部に設定する、又は、前記無線通信端末よりも前記第２接続端末のほうが低くなる通信パラメータを前記第２接続端末に設定させる制御データを前記無線通信部から前記第２接続端末に送信させるステップと、を備える無線通信方法である。
【０００８】
また、本発明は、無線ネットワークを構築し、コンテンツのストリーミングに用いるストリーミングデータ、及び前記ストリーミングの制御に用いる制御データの無線通信を行う無線通信端末のコンピュータに、前記無線ネットワークに対する第１接続端末からの接続要求が無線通信部によって受信された後、前記第１接続端末が対応するストリーミングデータのフォーマット情報を取得して前記第１接続端末と接続する第１接続処理を行うステップと、前記無線ネットワークに対する第２接続端末からの接続要求が前記無線通信部によって受信された後、前記フォーマット情報を取得せずに前記第２接続端末と接続する第２接続処理を行うステップと、無線通信のデータリンクレベルの送信権の獲得確率が、前記第２接続端末よりも前記無線通信端末のほうが高くなる通信パラメータを前記無線通信部に設定する、又は、前記無線通信端末よりも前記第２接続端末のほうが低くなる通信パラメータを前記第２接続端末に設定させる制御データを前記無線通信部から前記第２接続端末に送信させるステップと、を実行させるためのプログラムである。
【発明の効果】
【０００９】
本発明によれば、無線ネットワークを構築する基地局としての機能を有する無線通信端末において、無線通信のデータリンクレベルの送信権の獲得確率が第２接続端末における送信権の獲得確率よりも高くなる通信パラメータが設定される、又は、第２接続端末における送信権の獲得確率が、基地局としての機能を有する無線通信端末における送信権の獲得確率よりも低くなる制御データが第２接続端末に送信される。これによって、基地局を含む無線通信システム全体で、リアルタイム性を有するデータを優先して伝送することができる。
【図面の簡単な説明】
【００１０】
【図１】本発明の第１の実施形態によるシステムにおける通信の様子を示す参考図である。
【図２】本発明の第１の実施形態における端末が送信権を獲得する様子を示す参考図である。
【図３】本発明の第１の実施形態における外部端末の構成を示すブロック図である。
【図４】本発明の第１の実施形態における外部端末の動作の手順を示すフローチャートである。
【図５】本発明の第１の実施形態における映像伝送端末の構成を示すブロック図である。
【図６】本発明の第１の実施形態における映像伝送端末の動作の手順を示すフローチャートである。
【図７】本発明の第１の実施形態における非映像専用伝送路と映像専用伝送路との接続シーケンスを示すシーケンス図である。
【図８】本発明の第１の実施形態における映像専用伝送路の切断シーケンスを示すシーケンス図である。
【図９】本発明の第１の実施形態における映像受信端末の構成を示すブロック図である。
【図１０】本発明の第１の実施形態における映像受信端末の動作の手順を示すフローチャートである。
【図１１】本発明の第２の実施形態によるシステムにおける通信の様子を示す参考図である。
【図１２】本発明の第２の実施形態における送信権獲得カテゴリを示す参考図である。
【図１３】本発明の第２の実施形態における外部端末の動作の手順を示すフローチャートである。
【図１４】本発明の第２の実施形態における映像伝送端末の動作の手順を示すフローチャートである。
【図１５】本発明の第３の実施形態によるシステムにおける通信の様子を示す参考図である。
【図１６】本発明の第３の実施形態における送信権獲得カテゴリを示す参考図である。
【図１７】本発明の第３の実施形態における外部端末の動作の手順を示すフローチャートである。
【図１８】本発明の第３の実施形態における映像伝送端末の構成を示すブロック図である。
【図１９】本発明の第３の実施形態における映像伝送端末の動作の手順を示すフローチャートである。
【図２０】本発明の第４の実施形態によるシステムにおける通信の様子を示す参考図である。
【図２１】本発明の第４の実施形態における外部端末の構成を示すブロック図である。
【図２２】本発明の第４の実施形態における外部端末の動作の手順を示すフローチャートである。
【図２３】本発明の第４の実施形態における映像伝送端末の構成を示すブロック図である。
【図２４】本発明の第４の実施形態における映像伝送端末の動作の手順を示すフローチャートである。
【図２５】本発明の第４の実施形態における映像受信端末の構成を示すブロック図である。
【図２６】本発明の第４の実施形態における映像受信端末の動作の手順を示すフローチャートである。
【図２７】本発明の第５の実施形態によるシステムにおける通信の様子を示す参考図である。
【図２８】本発明の第５の実施形態における外部端末の動作の手順を示すフローチャートである。
【図２９】本発明の第５の実施形態における映像伝送端末の動作の手順を示すフローチャートである。
【図３０】本発明の第５の実施形態における映像受信端末の構成を示すブロック図である。
【図３１】本発明の第５の実施形態における映像受信端末の動作の手順を示すフローチャートである。
【発明を実施するための形態】
【００１１】
以下、図面を参照し、本発明の実施形態を説明する。以下の各実施形態では、コンテンツのストリーミングに用いるストリーミングデータの無線通信を優先的に行うシステムについて説明する。ストリーミングデータは、映像及び音声の一方又は両方を含むデータである。
【００１２】
（第１の実施形態）
まず、本発明の第１の実施形態を説明する。図１は、映像を無線で伝送する映像伝送端末と、映像伝送端末から伝送される映像を受信して表示する映像受信端末とが映像専用の伝送路（以降、映像専用伝送路と称す）で接続されたタイミングにおいて、映像伝送端末が映像専用ではない伝送路（以降、非映像専用伝送路と称す）で外部端末と既に接続されていた場合に、外部端末と映像伝送端末との間の通信を制限し、映像伝送端末と映像受信端末との間の通信を優先的に行わせる映像専用伝送路優先システムの一例である。
【００１３】
図１に示す例では、外部端末１０１と映像伝送端末１０２との間、及び、映像伝送端末１０２と映像受信端末１０３との間で無線通信が行われる。映像伝送端末１０２はアクセスポイント、外部端末１０１及び映像受信端末１０３はステーションとして機能する。アクセスポイントとは、ステーションが参加可能な新しいネットワークを構築する端末のことをいい、ステーションとは、アクセスポイントが構築したネットワークに参加可能な端末のことをいう。
【００１４】
図１に示す例は、映像伝送端末１０２が構築したネットワークにおいて、非映像専用伝送路での接続が確立している環境で、映像伝送端末１０２と映像受信端末１０３とが映像専用伝送路での接続を確立した場合の各端末の通信の状態を示している。図１に示す例では、映像伝送端末１０２から外部端末１０１に対して、映像伝送端末１０２の送信権獲得待機時間以上の送信権獲得待機時間になるように送信権獲得待機時間を変更させる送信権獲得待機時間変更命令が送信される。外部端末１０１の送信権獲得待機時間が、送信権獲得待機時間変更命令に基づき変更されることにより、外部端末１０１が送信権を獲得する機会が減り、映像伝送端末１０２と映像受信端末１０３との間の通信が優先される。つまり、映像伝送端末１０２が送信権を獲得する確率が、外部端末１０１が送信権を獲得する確率よりも高くなる。送信権の獲得に関しては後述する。
【００１５】
図１（Ａ）は、映像伝送端末１０２が構築したネットワークにおいて、外部端末１０１と映像伝送端末１０２とが非映像専用伝送路での接続を確立済みである様子を示している。
【００１６】
図１（Ｂ）は、映像伝送端末１０２が構築したネットワークにおいて、外部端末１０１と映像伝送端末１０２とが非映像専用伝送路での接続を確立済みであり、映像伝送端末１０２と映像受信端末１０３とが映像専用伝送路での接続シーケンスを行っている様子を示している。
【００１７】
図１（Ｃ）は、映像伝送端末１０２が構築したネットワークにおいて、外部端末１０１と映像伝送端末１０２とが非映像専用伝送路での接続を確立済みであり、映像伝送端末１０２と映像受信端末１０３とが映像専用伝送路での接続を確立した様子を示している。
【００１８】
図１（Ｄ）は、映像伝送端末１０２が構築したネットワークにおいて、外部端末１０１と映像伝送端末１０２とが非映像専用伝送路での接続を確立済みであり、かつ映像伝送端末１０２と映像受信端末１０３とが映像専用伝送路での接続を確立済みであり、映像伝送端末１０２から外部端末１０１に対して、送信権獲得待機時間変更命令（制御データ）が送信されている様子を示している。
【００１９】
図１（Ｅ）は、映像伝送端末１０２が構築したネットワークにおいて、外部端末１０１と映像伝送端末１０２とが非映像専用伝送路での接続を確立済みであり、かつ映像伝送端末１０２と映像受信端末１０３とが映像専用伝送路での接続を確立済みであり、外部端末１０１が送信権を獲得する機会が減り、映像伝送端末１０２と映像受信端末１０３との間の通信が優先されている様子を示している。
【００２０】
送信権の獲得に関して、図２を用いて説明する。図２は、端末が送信権を獲得する様子を示している。図２では２台の端末（端末１、端末２）があり、図２の横方向は時間の経過を示している。
【００２１】
送信権は、送信権獲得待機時間が経過した後に、同じネットワークに所属する他の端末がデータ伝送を行っていない場合に獲得され、送信権を獲得した端末が、規定された送信可能な期間（ＴＸＯＰと称す）だけ送信可能となる。送信権獲得待機時間は、フレーム送信間隔（ＡＩＦＳと称す）と、送信待ちスロット数の乱数値（ＣＷと称す）とで決定される時間である。ＡＩＦＳとＣＷとで決定される送信権獲得待機時間によるデータ伝送の制御が、無線通信のデータリンクレベルの伝送制御となる。
【００２２】
図２では、端末１と端末２とでは、端末１のほうが、送信権獲得待機時間（図中のＡＩＦＳとＣＷの合計）が短く、端末１の送信権獲得待機時間が終了した時点で端末１が送信権を獲得する。その後、端末２の送信権獲得待機時間が終了した時点では、端末１が送信権を獲得しており、端末１が送信可能な期間ＴＸＯＰであるため、端末２は送信権を獲得できない。
【００２３】
図３は、外部端末１０１の構成を示している。本図を用いて外部端末１０１の構成を説明する。外部端末１０１は、端末制御部３０１と、通信制御部３０２と、ネットワーク接続制御部３０３と、記憶部３０４、無線通信部３０５と、アンテナ３０６と、操作部３０７とを備える。
【００２４】
端末制御部３０１は外部端末１０１の動作を制御する。通信制御部３０２は、映像伝送端末１０２から受信した送信権獲得待機時間変更命令に基づき、外部端末１０１の送信権獲得待機時間を変更し、変更後の送信権獲得待機時間を無線通信部３０５に設定し、無線通信部３０５及びアンテナ３０６を経由したデータ伝送の制御を行う。ネットワーク接続制御部３０３は、無線通信部３０５及びアンテナ３０６を経由して非映像専用伝送路でのネットワーク接続を確立する。記憶部３０４は、送信権獲得待機時間を決定するＡＩＦＳとＣＷの初期値、及び伝送するデータ等を記憶する。無線通信部３０５及びアンテナ３０６は映像伝送端末１０２と無線通信を行う。操作部３０７は、ユーザが行う操作に基づき入力を受け付けるユーザインターフェースである。
【００２５】
図４は、外部端末１０１の動作を示している。本図を用いて外部端末１０１の動作を説明する。
【００２６】
端末制御部３０１は、操作部３０７の操作により外部端末１０１の電源が投入されたことをトリガとして、外部端末データ伝送処理を開始する。
【００２７】
なお、第１の実施形態における外部端末データ伝送処理は、外部端末１０１の電源が投入されたことをトリガとして開始される処理であるが、操作部３０７の操作により外部端末データ伝送処理の開始命令が入力されたことをトリガとして開始されても良く、本発明の要旨を逸脱しなければ、外部端末データ伝送処理の開始条件は、外部端末１０１に対する電源の投入のみに限定されるものではない。
【００２８】
端末制御部３０１は、外部端末データ伝送処理が開始されると、接続受付通知受信処理を行わせる命令である接続受付通知受信命令を無線通信部３０５に発行する。無線通信部３０５は、接続受付通知受信命令を受け付けると、アンテナ３０６を経由して、映像伝送端末１０２から接続受付通知が伝送されているかどうかの検索を行う（ステップＳ４０１）。無線通信部３０５は、接続受付通知が伝送されていた場合、受信した接続受付通知を記憶部３０４に記憶した後、端末制御部３０１に接続受付通知受信完了通知を発行し、接続受付通知が伝送されていなかった場合、一定時間待機した後、接続受付通知が伝送されているかどうかの検索を再度行う。
【００２９】
端末制御部３０１は、接続受付通知受信完了通知を受け付けると、映像伝送端末１０２と非映像専用伝送路での接続シーケンスを開始させる命令である非映像専用路接続開始命令を通信制御部３０２に発行する。通信制御部３０２は、非映像専用伝送路接続開始命令を受け付けると、映像伝送端末１０２と非映像専用伝送路での接続シーケンスを開始し、接続が完了した後、非映像専用伝送路の接続が完了したことを通知する接続完了通知を端末制御部３０１に発行する（ステップＳ４０２）。なお、非映像専用伝送路の接続シーケンスに関しては後述する。
【００３０】
端末制御部３０１は、接続完了通知を受け付けると、伝送待機データが無線通信部３０５に存在するかどうかの判定を行う（ステップＳ４０３）。伝送待機データが無線通信部３０５に存在する場合、端末制御部３０１は、ステップＳ４０５で示される送信権獲得待機の判定処理に遷移する。また、伝送待機データが無線通信部３０５に存在しない場合、端末制御部３０１は、ステップＳ４０４で示される伝送データの有無の判定処理に遷移する。なお、第１の実施形態における伝送待機データとは、ステップＳ４０５で送信権が獲得できなかった場合に、無線通信部３０５にバッファリングされるデータである。
【００３１】
端末制御部３０１は、ステップＳ４０３で伝送待機データが無線通信部３０５に存在しなかったと判定した場合、映像伝送端末１０２に伝送するデータが記憶部３０４に記憶されているかどうかの判定を行う（ステップＳ４０４）。端末制御部３０１は、映像伝送端末１０２に伝送するデータが記憶部３０４に記憶されている場合、伝送データを無線通信部３０５に記憶して、ステップＳ４０５で示される送信権獲得待機の判定処理に遷移する。また、端末制御部３０１は、映像伝送端末１０２に伝送するデータが記憶部３０４に記憶されていない場合、ステップＳ４０７で示される、送信権獲得待機時間変更命令を受信したかどうかの判定処理に遷移する。
【００３２】
端末制御部３０１は、ステップＳ４０３で伝送待機データが無線通信部３０５に存在すると判定された場合、及びステップＳ４０４で映像伝送端末１０２に伝送するデータが記憶部３０４に記憶されていると判定された場合、無線通信部３０５にデータ伝送命令を発行する。無線通信部３０５は、データ伝送命令を受け付けると、無線通信部３０５に設定された送信権獲得待機時間が示す期間、送信権獲得待機状態となる（ステップＳ４０５）。無線通信部３０５は、送信権の獲得に成功した場合、ステップＳ４０６で示されるデータ送信処理に遷移し、送信権の獲得に失敗した場合、端末制御部３０１に対して、データの伝送が失敗したことを示すデータ伝送完了通知を発行する。
【００３３】
なお、第１の実施形態において、無線通信部３０５の送信権獲得待機時間の初期値については、非映像専用伝送路の確立をトリガとして、予め記憶部３０４に記憶されている送信権獲得時間の初期値に基づき、通信制御部３０２が無線通信部３０５に送信権獲得待機時間の初期値を設定するものとする。なお、外部端末データ伝送処理の開始時に映像伝送端末１０２から送信権獲得待機時間の初期値を無線通信部３０５が受信し、受信した情報に基づき無線通信部３０５に送信権獲得時間の初期値が設定されてもよい。送信権獲得待機時間の初期値を設定する方法は、本発明の要旨を逸脱しなければ、上記の方法に限定されるものではない。
【００３４】
無線通信部３０５は、ステップＳ４０５で送信権の獲得に成功した場合、バッファリングされているデータを映像伝送端末１０２に送信して、端末制御部３０１に対して、データの伝送が成功したことを示すデータ伝送完了通知を発行する（ステップＳ４０６）。
【００３５】
端末制御部３０１は、ステップＳ４０５，Ｓ４０６で発行されるデータ伝送完了通知を受け付けると、無線通信部３０５及びアンテナ３０６を経由して映像伝送端末１０２から送信権獲得待機時間変更命令を受信したかどうかの判定処理に遷移する（ステップＳ４０７）。端末制御部３０１は、送信権獲得待機時間変更命令を受信していた場合、ステップＳ４０８で示される送信権獲得待機時間変更処理に遷移し、送信権獲得待機時間変更命令を受信していなかった場合、ステップＳ４０９で示される、データ伝送処理終了命令が発行されているかどうかの判定処理に遷移する。
【００３６】
なお、第１の実施形態における送信権獲得待機時間変更命令とは、送信権獲得待機時間を変更するパラメータである送信権獲得待機時間変更情報、即ちＡＩＦＳとＣＷの何れか或いは両方を指定する情報を少なくとも含む制御命令、或いは送信権獲得待機時間を、記憶部３０４に記憶している初期値に戻させる制御命令である。
【００３７】
端末制御部３０１は、ステップＳ４０７で送信権獲得待機時間変更命令を受信していた場合、通信制御部３０２に送信権獲得待機時間変更命令を通知する。通信制御部３０２は、送信権獲得待機時間変更命令を受け付けると、送信権獲得待機時間変更命令が送信権獲得待機時間変更情報を含む制御命令であった場合、送信権獲得待機時間変更情報に基づき、無線通信部３０５に対して送信権獲得待機時間の設定を行う。また、通信制御部３０２は、送信権獲得待機時間変更命令が、送信権獲得待機時間を初期値に戻させる制御命令であった場合、記憶部３０４に記憶されている送信権獲得待機時間の初期値に基づき、無線通信部３０５に対して送信権獲得待機時間の設定を行う（ステップＳ４０８）。
【００３８】
なお、送信権獲得待機時間変更情報に基づき送信権獲得待機時間の設定を行う場合、送信権獲得待機時間変更情報にＡＩＦＳのみを指定する情報が含まれていれば、指定されたＡＩＦＳに基づき送信権獲得待機時間の設定が行われる。送信権獲得待機時間変更情報にＣＷのみを指定する情報が含まれていれば、指定されたＣＷに基づき送信権獲得待機時間の設定が行われる。送信権獲得待機時間変更情報にＡＩＦＳ及びＣＷを指定する情報が含まれていれば、指定されたＡＩＦＳ及びＣＷに基づき送信権獲得待機時間の設定が行われる。
【００３９】
端末制御部３０１は、ステップＳ４０７で送信権獲得待機時間変更命令を受信していなかった場合、及びステップＳ４０８で送信権獲得待機時間の設定が完了した後、データ伝送処理終了命令が発行されているかどうかの判定を行う（ステップＳ４０９）。端末制御部３０１は、データ伝送処理終了命令が発行されている場合、外部端末データ伝送処理を終了し、データ伝送処理終了命令が発行されていない場合、ステップＳ４０３で示される、伝送待機データが存在するかどうかの判定処理から再度処理を行う。
【００４０】
なお、第１の実施形態におけるデータ伝送処理終了命令は、外部端末１０１と映像伝送端末１０２との間の非映像専用伝送路が切断されたことをトリガとして発行される命令であるが、操作部３０７の操作によりトリガが入力された場合に、データ伝送処理終了命令が発行されても良く、本発明の要旨を逸脱しなければ、データ伝送処理終了命令が発行される条件は、非映像専用伝送路の接続の切断のみに限定されるものではない。
【００４１】
図５は、映像伝送端末１０２の構成を示している。本図を用いて映像伝送端末１０２の構成を説明する。
【００４２】
映像伝送端末１０２は、端末制御部５０１と、通信制御部５０２と、ネットワーク構築部５０３と、記憶部５０４と、伝送路判定部５０５と、無線通信部５０６と、アンテナ５０７と、操作部５０８とを備える。
【００４３】
端末制御部５０１は映像伝送端末１０２の動作を制御する。通信制御部５０２は、無線通信部５０６及びアンテナ５０７を経由して、外部端末１０１に送信権獲得待機時間変更命令を送信し、無線通信部３０５及びアンテナ３０６を経由したデータ伝送の制御を行う。ネットワーク構築部５０３は、外部端末１０１及び映像受信端末１０３が参加可能なネットワークの構築、外部端末１０１との非映像専用伝送路の接続の確立、及び映像受信端末１０３との映像専用伝送路の接続の確立を行う。記憶部５０４は、無線通信部５０６及びアンテナ５０７を経由して外部端末１０１から受信したデータ、及び映像受信端末１０３に伝送する映像データを記憶する。伝送路判定部５０５は、ネットワーク構築部５０３が無線通信部５０６及びアンテナ５０７を経由して確立した接続が非映像専用伝送路と映像専用伝送路との何れの接続であるかを判定する。無線通信部５０６及びアンテナ５０７は外部端末１０１及び映像受信端末１０３と無線通信を行う。操作部５０８は、ユーザが行う操作に基づき入力を受け付けるユーザインターフェースである。
【００４４】
また、記憶部５０４は、映像伝送端末１０２の動作を制御するためのプログラムや必要なデータを記憶する。映像伝送端末１０２の端末制御部５０１、通信制御部５０２、及びネットワーク構築部５０３の機能は、例えば映像伝送端末１０２の動作を制御するためのプログラムを、映像伝送端末１０２のＣＰＵ（図示せず）が読み込んで実行することにより、実現される。また、映像伝送端末１０２の動作を制御するためのプログラムは、例えばフラッシュメモリのような「コンピュータ読み取り可能な記録媒体」により提供されてもよい。また、上述したプログラムは、このプログラムを記憶装置等に格納したコンピュータから、伝送媒体を介して、あるいは伝送媒体中の伝送波により映像伝送端末１０２に伝送されることで映像伝送端末１０２に入力されてもよい。ここで、プログラムを伝送する「伝送媒体」は、インターネット等のネットワーク（通信網）や電話回線等の通信回線（通信線）のように、情報を伝送する機能を有する媒体のことをいう。また、上述したプログラムは、前述した機能の一部を実現するためのものであってもよい。さらに、前述した機能を、コンピュータに既に記録されているプログラムとの組合せで実現できるもの、いわゆる差分ファイル（差分プログラム）であってもよい。
【００４５】
図６は、映像伝送端末１０２の動作を示している。本図を用いて映像伝送端末１０２の動作を説明する。
【００４６】
端末制御部５０１は、操作部５０８の操作により映像伝送端末１０２の電源が投入されたことをトリガとして、映像伝送端末映像伝送処理を開始する。
【００４７】
なお、第１の実施形態における映像伝送端末映像伝送処理は、映像伝送端末１０２の電源が投入されたことをトリガとして開始される処理であるが、操作部５０８の操作により映像伝送端末映像伝送処理の開始命令が入力されたことをトリガとして開始されても良く、本発明の要旨を逸脱しなければ、映像伝送端末映像伝送処理の開始条件は映像伝送端末１０２の電源の投入のみに限定されるものではない。
【００４８】
端末制御部５０１は、映像伝送端末映像伝送処理が開始されると、接続開始命令が発行されているかどうかの判定を行う（ステップＳ６０１）。端末制御部５０１は、接続開始命令が発行されている場合、ステップＳ６０２で示される伝送路の接続処理に遷移し、接続開始命令が発行されていない場合、ステップＳ６０５で示される伝送待機データの有無の判定処理に遷移する。
【００４９】
なお、第１の実施形態における映像伝送端末１０２は、映像伝送端末映像伝送処理が開始されると、ネットワーク構築部５０３を制御して、映像伝送端末１０２をアクセスポイントとしたネットワークを構築する。また、第１の実施形態における映像伝送端末１０２は、映像伝送端末映像伝送処理が開始され、更に映像伝送端末１０２をアクセスポイントとしたネットワークを構築すると、無線通信部５０６及びアンテナ５０７を経由して、映像伝送端末１０２が接続受付状態であることを通知する接続受付通知のマルチキャストでの定期的な送信を開始する。
【００５０】
また、接続受付通知は、映像伝送端末１０２のネットワーク構築部５０３が構築したネットワークのＳＳＩＤが少なくとも含まれる情報である。また、第１の実施形態における接続開始命令は、外部端末１０１或いは映像受信端末１０３から、無線通信部５０６及びアンテナ５０７を経由して、非映像専用伝送路接続要求或いは映像専用伝送路接続要求を受信したことをトリガとして発行される命令である。
【００５１】
端末制御部５０１は、ステップＳ６０１で接続開始命令が発行されていると判定した場合、伝送路接続シーケンスを開始させる命令である伝送路接続シーケンス開始命令をネットワーク構築部５０３に対して発行する。ネットワーク構築部５０３は、伝送路接続シーケンス開始命令を受け付けると、映像伝送端末１０２に接続要求を送信した外部端末１０１或いは映像受信端末１０３と、無線通信部５０６及びアンテナ５０７を経由して伝送路の接続処理を行うと同時に、伝送路判定部５０５を制御して、伝送路接続シーケンスの監視を行わせる。ネットワーク構築部５０３は、外部端末１０１或いは映像受信端末１０３との伝送路の接続が完了すると、端末制御部５０１に接続完了通知を発行する（ステップＳ６０２）。
【００５２】
なお、伝送路判定部５０５は、伝送路の接続が完了すると同時に、接続した伝送路が非映像専用伝送路と映像専用伝送路のどちらであるのかを示す情報を少なくとも含む伝送路判定結果情報を記憶部５０４に記憶する。
【００５３】
端末制御部５０１は、接続完了通知を受け付けると、記憶部５０４に記憶されている伝送路判定結果情報に基づき、映像伝送端末１０２が映像専用伝送路で接続されたかどうかの判定を行う（ステップＳ６０３）。端末制御部５０１は、映像伝送端末１０２が映像専用伝送路で接続されていた場合、送信権獲得待機時間変更命令を送信させる命令である送信権獲得待機時間変更命令送信通知を通信制御部５０２に発行し、映像伝送端末１０２が非映像専用伝送路で接続されていた場合、ステップＳ６０５で示される伝送待機データの有無の判定処理に遷移する。なお、伝送路の接続処理及び伝送路の判定処理に関しては後述する。
【００５４】
通信制御部５０２は、送信権獲得待機時間変更命令送信通知を受け付けると、無線通信部５０６に設定されている送信権獲得待機時間よりも送信権獲得待機時間が長時間となるＡＩＦＳ及びＣＷの何れか或いは両方の値を決定し、決定した値を送信権獲得待機時間変更情報として付加した送信権獲得待機時間変更命令を、無線通信部５０６及びアンテナ５０７を経由して外部端末１０１に送信する。通信制御部５０２は、送信権獲得待機時間変更命令の送信を完了すると、端末制御部５０１に送信権獲得待機時間変更命令送信完了通知を発行する（ステップＳ６０４）。
【００５５】
端末制御部５０１は、ステップＳ６０１で接続開始命令が発行されていないと判定された場合、ステップＳ６０３で映像伝送端末１０２が非映像専用伝送路で接続されていたと判定された場合、及びステップＳ６０４で送信権獲得待機時間変更命令送信完了通知を受け付けた場合、伝送待機データが無線通信部５０６に存在するかどうかの判定を行う（ステップＳ６０５）。端末制御部５０１は、伝送待機データが存在する場合、ステップＳ６０７で示される送信権獲得待機処理に遷移し、伝送待機データが存在しない場合、ステップＳ６０６で示される伝送データの有無の判定処理に遷移する。なお、第１の実施形態における伝送待機データとは、ステップＳ６０７で送信権が獲得できなかった場合に、無線通信部５０６にバッファリングされるデータとする。
【００５６】
端末制御部５０１は、ステップＳ６０５で伝送待機データが無線通信部５０６に存在しないと判定した場合、映像受信端末１０３に伝送する映像データが記憶部５０４に記憶されているかどうかの判定を行う（ステップＳ６０６）。端末制御部５０１は、映像データが記憶されている場合、映像データを無線通信部５０６にバッファリングしてステップＳ６０７で示される送信権獲得待機の判定処理に遷移し、映像データが記憶されていない場合、ステップＳ６０９で示される、外部端末１０１から映像伝送端末１０２にデータが伝送されているかどうかの判定を行う。
【００５７】
端末制御部５０１は、ステップＳ６０５で伝送待機データが存在すると判定された場合、及びステップＳ６０６で映像受信端末１０３に伝送する映像データが記憶部５０４に記憶されていると判定された場合、無線通信部５０６に映像データ伝送命令を発行する。  無線通信部５０６は、映像データ伝送命令を受け付けると、無線通信部５０６に設定された送信権獲得待機時間の期間、送信権獲得待機状態となる（ステップＳ６０７）。端末制御部５０１は、送信権の獲得に成功した場合、ステップＳ６０８で示される映像データ送信処理に遷移し、送信権の獲得に失敗した場合、端末制御部５０１に対して、映像データの伝送が失敗したことを示す映像データ伝送完了通知を発行する。
【００５８】
なお、第１の実施形態において、無線通信部５０６の送信権獲得待機時間の初期値は、ステップＳ６０２で示される伝送路接続シーケンスが初めて完了したことをトリガとして、記憶部５０４が保持している情報に基づき、予め設定されるものとする。また、ステップＳ６０２で映像伝送端末１０２が接続した伝送路が非映像専用伝送路であり、かつ映像伝送端末１０２が映像専用伝送路に接続されていない場合、通信制御部５０２を制御して、記憶部５０４に予め記憶されている送信権獲得待機時間の初期値を外部端末１０１に通知して設定させる動作を行ってもよい。
【００５９】
無線通信部５０６は、ステップＳ６０７で送信権の獲得に成功した場合、バッファリングされているデータを映像受信端末１０３に送信して、端末制御部５０１に対して、データの伝送が成功したことを示すデータ伝送完了通知を発行する（ステップＳ６０８）。
【００６０】
端末制御部５０１は、ステップＳ６０６で映像受信端末１０３に伝送する映像データが記憶部５０４に存在しないと判定した場合、及びステップＳ６０７で発行される映像データ伝送完了通知を受け付けた場合、無線通信部５０６に対して、外部端末１０１から映像伝送端末１０２に送信されたデータが存在するかどうかの判定処理を行わせるデータ受信判定処理開始命令を発行する。
【００６１】
無線通信部５０６は、データ受信判定処理開始命令を受け付けた場合、アンテナ５０７を経由して外部端末１０１から映像伝送端末１０２に対して伝送されているデータが存在するかどうかの判定を行う（ステップＳ６０９）。無線通信部５０６は、データが存在する場合、ステップＳ６１０で示されるデータ受信処理に遷移し、データが存在しない場合、端末制御部５０１に対して、外部端末１０１から映像伝送端末１０２に送信されているデータが存在しないことを示すデータ受信完了通知を発行する。
【００６２】
無線通信部５０６は、ステップＳ６０９で外部端末１０１から映像伝送端末１０２に送信されているデータが存在すると判定した場合、アンテナ５０７を経由してデータを受信し、記憶部５０４に記憶した後、端末制御部５０１に対して、データの受信が完了したことを示すデータ受信完了通知を発行する（ステップＳ６１０）。
【００６３】
端末制御部５０１は、ステップＳ６０８で発行されるデータ伝送完了通知を受け付けた場合、及びステップＳ６０９，Ｓ６１０で発行されるデータ受信完了通知を受け付けた場合、映像専用伝送路接続終了命令が発行されているかどうかの判定を行う（ステップＳ６１１）。端末制御部５０１は、映像専用伝送路接続終了命令が発行されていた場合、ステップＳ６１２で示される映像専用伝送路の切断処理を開始し、映像専用伝送路接続終了命令が発行されていない場合、ステップＳ６１４で示される、映像伝送処理終了命令が発行されているかどうかの判定を行う。
【００６４】
なお、第１の実施形態における映像専用伝送路接続終了命令は、映像データの伝送が完了したことをトリガとして発行される命令であるが、映像専用伝送路の接続が確立された状態で、操作部５０８の操作により映像専用伝送路の切断命令が入力されたことをトリガとして発行されてもよく、本発明の要旨を逸脱しなければ、映像専用伝送路接続終了命令の発行条件は、映像データの伝送完了のみに限定されるものではない。
【００６５】
端末制御部５０１は、ステップＳ６１１で映像専用伝送路接続終了命令が発行されていた場合、映像専用伝送路の切断処理を開始させる命令である映像専用伝送路切断シーケンス開始命令をネットワーク構築部５０３に対して発行する。ネットワーク構築部５０３は、映像専用伝送路切断シーケンス開始命令を受け付けると、無線通信部５０６及びアンテナ５０７を経由して、映像受信端末１０３と映像専用伝送路の切断処理を開始する。ネットワーク構築部５０３は、映像受信端末１０３と映像専用伝送路の切断処理を完了すると、端末制御部５０１に映像専用伝送路切断処理完了通知を発行する（ステップＳ６１２）。なお、映像専用伝送路の切断処理に関しては後述する。
【００６６】
端末制御部５０１は、映像専用伝送路切断処理完了通知を受け付けると、送信権獲得待機時間変更命令を送信させる命令である送信権獲得待機時間変更命令送信通知を通信制御部５０２に発行する。通信制御部５０２は、送信権獲得待機時間変更命令送信通知を受け付けると、外部端末１０１の送信権獲得待機時間を初期値に変更させる送信権獲得待機時間変更命令を、無線通信部５０６及びアンテナ５０７を経由して外部端末１０１に送信する。通信制御部５０２は、送信権獲得待機時間変更命令の送信を完了すると、端末制御部５０１に送信権獲得待機時間変更命令送信完了通知を発行する（ステップＳ６１３）。
【００６７】
端末制御部５０１は、ステップＳ６１１で映像専用伝送路接続終了命令が発行されていないと判定された場合、及びステップＳ６１３で発行される送信権獲得待機時間変更命令送信完了通知を受け付けた場合、映像伝送処理終了命令が発行されているかどうかの判定を行う（ステップＳ６１４）。端末制御部５０１は、映像伝送処理終了命令が発行されていた場合、映像伝送端末映像伝送処理を終了し、映像伝送処理終了命令が発行されていない場合、ステップＳ６０１で示される、接続開始命令が発行されているかどうかの判定処理から再度処理を行う。
【００６８】
なお、第１の実施形態における映像伝送処理終了命令は、外部端末１０１と映像伝送端末１０２との非映像専用伝送路が切断されたことをトリガとして発行される命令であるが、映像専用伝送路の接続が確立された状態で、操作部５０８の操作により映像伝送端末映像伝送処理の終了命令が入力されたことをトリガとして映像伝送端末映像伝送処理を終了しても良く、映像伝送処理終了命令の発行条件は、非映像専用伝送路の切断のみに限定されるものではない。
【００６９】
次に、伝送路の接続処理及び伝送路の判定処理に関して、図７を用いて説明する。図７は、第１の実施形態における伝送路である非映像専用伝送路と映像専用伝送路とのそれぞれの接続シーケンスを示している。図７（Ａ）で示される接続シーケンスは非映像専用伝送路の接続シーケンス（第２接続処理）であり、図７（Ｂ）で示される接続シーケンスは映像専用伝送路の接続シーケンス（第１接続処理）である。映像専用伝送路及び非映像専用伝送路の接続は、何れも接続相手の検索から開始され、アクセスポイントとなる映像伝送端末１０２から、外部端末１０１（第１接続端末）及び映像受信端末１０３（第２接続端末）に、接続受付通知がマルチキャストで送信される（ステップＳＡ１０１，ＳＢ１０１）ことで行われる。
【００７０】
なお、第１の実施形態の接続シーケンスでは、映像伝送端末１０２から接続受付通知が送信されるが、接続相手の検索は、外部端末１０１、映像伝送端末１０２、及び映像受信端末１０３の間で双方向に行われても良く、本発明の要旨を逸脱しない限り、接続相手の検索は、映像伝送端末１０２から伝送される接続受付通知により行われる条件に限定されるものではない。
【００７１】
映像専用伝送路及び非映像専用伝送路の何れの接続シーケンスにおいても、接続相手の検索が完了すると、ステーションとなる外部端末１０１或いは映像伝送端末１０２により、接続相手の選択が行われる（ステップＳＡ１０２，ＳＢ１０２）。
【００７２】
なお、第１の実施形態における接続相手は、接続受付通知を受信した場合に自動で選択されるものとするが、操作部の操作により接続相手の選択結果が入力されることにより選択されても良い。
【００７３】
接続相手が選択されると、映像専用伝送路及び非映像専用伝送路の何れの接続シーケンスにおいても、ステーションとなる外部端末１０１及び映像受信端末１０３から接続要求が送信される（ステップＳＡ１０３，ＳＢ１０３）。映像伝送端末１０２が接続要求を受け付けると、ステーションとなる外部端末１０１及び映像受信端末１０３と、映像伝送端末１０２との間で、通信方式の決定が行われる（ステップＳＡ１０４，ＳＢ１０４）。
【００７４】
なお、第１の実施形態における通信方式は、映像専用伝送路での接続の場合はＷｉＦｉＰ２Ｐ及びＴＤＬＳの何れかとし、非映像専用伝送路での接続の場合は、これら２つの通信方式に限定されず、様々な通信方式が採用される。
【００７５】
通信方式の決定が完了すると、映像専用伝送路及び非映像専用伝送路の何れの接続シーケンスにおいても、ステーションとなる映像受信端末１０３或いは外部端末１０１と、アクセスポイントとなる映像伝送端末１０２との間で、通信リンクが確立される（ステップＳＡ１０５，ＳＢ１０５）。通信リンクが確立されると、非映像専用伝送路の接続シーケンスではデータ伝送が開始される（ステップＳＡ１０６）が、映像専用伝送路の接続シーケンスでは、通信リンクの確立後、接続相手の端末が対応しているデータ（映像及び音楽の何れか、或いは両方）のフォーマットの交換（ステップＳＢ１０６）が行われた後、映像伝送のセッションが確立され（ステップＳＢ１０７）、ストリーミングが開始される（ステップＳＢ１０８）。
【００７６】
なお、第１の実施形態におけるフォーマットの交換及び映像伝送のセッション確立は、ＲＴＳＰを利用して行われるものとするが、ＲＴＳＰを利用するものに限定されるものではない。
【００７７】
また、映像伝送端末１０２が具備する伝送路判定部５０５は、伝送路の接続シーケンスが行われている間、ネットワーク構築部５０３が行う接続処理を監視し、少なくとも対応フォーマットの交換と、映像伝送セッションの確立とが共に行われた場合に、映像専用伝送路が確立されたと判定し、接続シーケンスにおいて対応フォーマットの交換と、映像伝送セッションの確立とのどちらか一方でも行われなかった場合、非映像専用伝送路が確立されたと判定する。
【００７８】
また、図７（Ａ）に示した接続シーケンスは、非映像専用伝送路の接続シーケンスの一例であり、対応フォーマットの交換と、映像伝送セッションの確立とが共に行わなければ、非映像専用伝送路の接続シーケンスは図７（Ａ）に限定されるものではない。
【００７９】
映像専用伝送路の切断に関して、図８を用いて説明する。図８は、映像専用伝送路の切断シーケンスを示している。
【００８０】
映像専用伝送路の切断は、映像受信端末１０３から映像伝送端末１０２に対して映像専用伝送路切断要求が送信され（ステップＳＡ２０１）、映像伝送端末１０２から映像受信端末１０３に対して、受信した映像専用伝送路切断要求に対する応答である映像専用伝送路切断応答が送信される（ステップＳＡ２０２）、図８（Ａ）で示されるシーケンスで行われる。
【００８１】
また、映像専用伝送路の切断は、映像伝送端末１０２から映像受信端末１０３に対して映像専用伝送路切断要求伝送命令が送信され（ステップＳＡ２０３）、映像受信端末１０３から映像伝送端末１０２に対して、映像専用伝送路切断要求伝送命令に対する応答である映像専用伝送路切断要求伝送応答が送信された（ステップＳＡ２０４）ことをトリガとして、図８（Ａ）で示されるシーケンスが開始される、図８（Ｂ）で示されるシーケンスで行われても良い。
【００８２】
図９は、映像受信端末１０３の構成を示している。本図を用いて映像受信端末１０３の構成を説明する。映像受信端末１０３は、端末制御部９０１と、表示部９０２と、ネットワーク接続制御部９０３と、記憶部９０４と、無線通信部９０５と、アンテナ９０６と、操作部９０７とを備える。
【００８３】
端末制御部９０１は映像受信端末１０３の動作を制御する。表示部９０２は、映像伝送端末１０２から受信し記憶部９０４に記憶されている映像データに基づく映像を表示する。ネットワーク接続制御部９０３は、無線通信部９０５及びアンテナ９０６を経由して映像伝送端末との映像専用伝送路での接続を確立する。記憶部９０４は、映像伝送端末１０２から受信した映像データを記憶する。無線通信部９０５及びアンテナ９０６は映像伝送端末１０２と無線通信を行う。操作部９０７は、ユーザが行う操作に基づき入力を受け付けるユーザインターフェースである。
【００８４】
図１０は、映像受信端末１０３の動作を示している。本図を用いて映像受信端末１０３の動作を説明する。
【００８５】
端末制御部９０１は、操作部９０７の操作により端末の電源が投入されたことをトリガとして、映像受信端末映像受信処理を開始する。
【００８６】
なお、第１の実施形態における映像受信端末映像受信処理は、端末の電源が投入されたことをトリガとして開始される処理であるが、操作部９０７の操作により映像受信端末映像受信処理の開始命令が入力されたことをトリガとして映像受信端末映像受信処理を開始しても良く、本発明の要旨を逸脱しなければ、映像受信端末映像受信処理の開始条件は、端末の電源が投入されたことに限定されるものではない。
【００８７】
端末制御部９０１は、映像受信端末映像受信処理が開始されると、無線通信部９０５に対して、接続受付通知を受信させる命令である接続受付通知受信開始命令を発行する。無線通信部９０５は、接続受付通知受信開始命令を受け付けると、アンテナ９０６を経由して、映像伝送端末１０２から接続受付通知が伝送されているかどうかの検索を行う（ステップＳ１００１）。無線通信部９０５は、接続受付通知が伝送されていた場合、受信した接続受付通知を記憶部９０４に記憶した後、接続受付通知受信完了通知を端末制御部９０１に発行し、接続受付通知が伝送されていなかった場合、接続受付通知受信失敗通知を端末制御部９０１に発行する。
【００８８】
端末制御部９０１は、接続受付通知受信完了通知を受け付けると、映像専用伝送路の接続処理を開始させる命令である映像専用伝送路接続シーケンス開始命令をネットワーク接続制御部９０３に対して発行する。ネットワーク接続制御部９０３は、映像専用伝送路接続シーケンス開始命令を受け付けると、無線通信部９０５及びアンテナ９０６を経由して、映像伝送端末１０２と映像専用伝送路の接続処理を行い、映像伝送端末１０２と映像専用伝送路の接続を開始する。ネットワーク接続制御部９０３は、映像伝送端末１０２と映像専用伝送路の接続処理を完了すると、端末制御部９０１に対して映像専用伝送路接続処理完了通知を発行する（ステップＳ１００２）。なお、映像専用伝送路の接続処理は図７の処理と同様の処理である。
【００８９】
端末制御部９０１は、映像専用伝送路接続処理完了通知を受け付けると、無線通信部９０５に対して、映像伝送端末１０２から映像受信端末１０３に送信されたデータが存在するかどうかの判定処理を行わせる映像データ受信判定処理開始命令を発行する。無線通信部９０５は、映像データ受信判定処理開始命令を受け付けた場合、アンテナ９０６を経由して、映像伝送端末１０２から映像受信端末１０３に対して伝送されている映像データが存在するかどうかの判定を行う（ステップＳ１００３）。無線通信部９０５は、映像データが存在する場合、ステップＳ１００４で示される映像データの受信処理に遷移し、映像データが存在しない場合、端末制御部９０１に対して、映像受信端末１０３から映像伝送端末１０２に伝送されている映像データが存在しないことを示す映像データ受信完了通知を発行する。
【００９０】
無線通信部９０５は、ステップＳ１００３で映像データが存在すると判定した場合、アンテナ９０６を経由して映像データの受信を行い、記憶部９０４に映像データを記憶した後、端末制御部９０１に対して、映像データの記憶が完了したことを示す映像データ受信完了通知を発行する（ステップＳ１００４）。端末制御部９０１は、ステップＳ１００４で発行される映像データ受信完了通知を受け付けた場合、表示部９０２を制御して、記憶部９０４に記憶されている映像データに基づく映像の表示を行う（ステップＳ１００５）。
【００９１】
端末制御部９０１は、ステップＳ１００５で映像の表示が完了した場合、及びステップＳ１００３で発行される映像データ受信完了通知を受け付けた場合、映像専用伝送路接続終了命令が発行されているかどうかの判定を行う（ステップＳ１００６）。端末制御部９０１は、映像専用伝送路接続終了命令が発行されていた場合、ステップＳ１００７で示される映像専用伝送路の切断処理を開始し、映像専用伝送路接続終了命令が発行されていない場合、ステップＳ１００３で示される、映像伝送端末１０２から映像受信端末１０３に対して伝送される映像データのスキャンから再度処理を行う。
【００９２】
なお、第１の実施形態における映像専用伝送路接続終了命令は、映像データの受信が完了したことをトリガとして発行される命令であるが、映像専用伝送路の接続が確立された状態で、操作部９０７の操作により映像専用伝送路の切断命令が入力されたことをトリガとして発行されても良く、本発明の要旨を逸脱しなければ、映像専用伝送路接続終了命令の発行条件は、映像データの受信完了のみに限定されるものではない。
【００９３】
端末制御部９０１は、ステップＳ１００６で映像専用伝送路接続終了命令が発行されていた場合、映像専用伝送路の切断処理を開始させる命令である映像専用伝送路切断シーケンス開始命令をネットワーク接続制御部９０３に対して発行する。ネットワーク接続制御部９０３は、映像専用伝送路切断シーケンス開始命令を受け付けると、無線通信部９０５及びアンテナ９０６を経由して、映像伝送端末１０２と映像専用伝送路の切断処理を行い、映像伝送端末１０２と映像専用伝送路の切断を開始する。ネットワーク接続制御部９０３は、映像伝送端末１０２と映像専用伝送路の切断処理を完了すると、端末制御部９０１に対して映像専用伝送路切断処理完了通知を発行する（ステップＳ１００７）。なお、映像専用伝送路の切断処理は図８の処理と同様の処理である。
【００９４】
端末制御部９０１は、ステップＳ１００１で発行される接続受付通知受信失敗通知を受け付けた場合、及びステップＳ１００７で発行される映像専用伝送路切断処理完了通知を受け付けた場合、映像伝送処理終了命令が発行されているかどうかの判定を行う（ステップＳ１００８）。端末制御部９０１は、映像伝送処理終了命令が発行されていた場合、映像受信端末映像受信処理を終了し、映像伝送処理終了命令が発行されていない場合、ステップＳ１００１で示される、接続受付通知が伝送されているかどうかの判定処理から再度処理を行う。
【００９５】
なお、第１の実施形態における映像受信処理終了命令は、操作部９０７の操作により端末の電源が切断されたことをトリガとして発行される命令であるが、操作部９０７の操作により映像受信端末映像受信処理の終了命令が入力されたことをトリガとして映像受信端末映像受信処理を終了しても良く、本発明の要旨を逸脱しなければ、映像受信端末映像受信処理の終了条件は、端末の電源が切断されたことに限定されるものではない。
【００９６】
また、第１の実施形態においては、映像伝送端末１０２の無線通信部５０６に設定されている送信権獲得待機時間よりも送信権獲得待機時間が長時間となるＡＩＦＳ及びＣＷの何れか或いは両方の値を決定し、外部端末１０１にそれを設定させることで映像専用伝送路における通信を優先的に行わせるが、外部端末１０１のＡＩＦＳ及びＣＷの値を共に最大値に限りなく近い値に設定させ、帯域を映像専用伝送路における通信にほぼ全て割り当てても良い。
【００９７】
第１の実施形態における映像伝送端末１０２は、最上位概念の本発明における無線通信端末に対応する。例えば無線通信部５０６を本発明の無線通信端末における無線通信部とし、ネットワーク構築部５０３を本発明の無線通信端末におけるネットワーク構築部とし、通信制御部５０２を本発明の無線通信端末における通信制御部とすることで本発明の無線通信端末を構成可能である。
【００９８】
上述したように、第１の実施形態によれば、映像伝送端末１０２と外部端末１０１の間で非映像専用伝送路を用いてデータ伝送が行われ、映像伝送端末１０２と映像受信端末１０３の間で映像専用伝送路を用いて映像データ伝送が行われる場合に、映像伝送端末１０２から外部端末１０１に対して、送信権獲得待機時間変更命令が送信される。これによって、外部端末１０１において、映像伝送端末１０２に設定されている送信権獲得待機時間よりも長くなるように送信権獲得待機時間が変更される。したがって、アクセスポイント（基地局）としての映像伝送端末１０２を含む無線通信システム全体で、リアルタイム性を有するデータを優先して伝送することができる。
【００９９】
また、映像伝送端末１０２と映像受信端末１０３の間の映像専用伝送路の接続が切断された場合に、外部端末１０１の送信権獲得待機時間を初期値に戻すための送信権獲得待機時間変更命令が外部端末１０１に送信される。これによって、外部端末１０１において、映像伝送端末１０２に設定されている送信権獲得待機時間よりも長くなるように変更された送信権獲得待機時間が初期値に戻る。したがって、他のデータ伝送よりも優先して行っていた映像データ伝送が終了した後、他のデータ伝送における送信権獲得待機時間を元に戻すことができる。
【０１００】
（第２の実施形態）
次に、本発明の第２の実施形態を説明する。第２の実施形態は第１の実施形態の変形例である。図１１は、送信権獲得カテゴリが予め設定されており、かつ外部端末と映像伝送端末が送信権獲得カテゴリを共有している場合において、外部端末と映像伝送端末との間の通信を制限し、映像伝送端末と映像受信端末との間の通信を優先的に行わせる映像専用伝送路優先システムの一例である。送信権獲得カテゴリに関しては後述する。
【０１０１】
図１１に示す例は、映像伝送端末１１０２が構築したネットワークにおいて、外部端末１１０１と映像伝送端末１１０２とが、映像伝送端末１１０２をアクセスポイント、外部端末１１０１をステーションとして、非映像専用伝送路での接続を確立している環境で、映像伝送端末１１０２と映像受信端末１１０３とが映像専用伝送路での接続を確立した場合の各端末の通信の状態を示している。図１１に示す例では、外部端末１１０１が映像伝送端末１１０２にデータを伝送する際に使用する送信権獲得カテゴリを、映像伝送端末１１０２が映像専用伝送路で映像データを伝送する際に使用する送信権獲得カテゴリよりも優先度の低い送信権獲得カテゴリに制限させる送信権獲得カテゴリ制限命令が外部端末１１０１に送信される。外部端末１１０１の送信権獲得カテゴリが、送信権獲得カテゴリ制限命令に基づき変更されることにより、外部端末１１０１が送信権を獲得する機会が減り、映像伝送端末１１０２と映像受信端末１１０３との間の通信が優先される。つまり、映像伝送端末１１０２が送信権を獲得する確率が、外部端末１１０１が送信権を獲得する確率よりも高くなる。
【０１０２】
図１１（Ａ）は、映像伝送端末１１０２が構築したネットワークにおいて、外部端末１１０１と映像伝送端末１１０２とが非映像専用伝送路での接続を確立済みであり、映像伝送端末１１０２と映像受信端末１１０３とが映像専用伝送路での接続を確立した様子を  
【０１０３】
図１１（Ｂ）は、映像伝送端末１１０２が構築したネットワークにおいて、外部端末１１０１と映像伝送端末１１０２とが非映像専用伝送路での接続を確立済みであり、かつ映像伝送端末１１０２と映像受信端末１１０３とが映像専用伝送路での接続を確立済みであり、映像伝送端末１１０２から外部端末１１０１に対して、送信権獲得カテゴリ制限命令（制御データ）が送信されている様子を示している。
【０１０４】
図１１（Ｃ）は、映像伝送端末１１０２が構築したネットワークにおいて、外部端末１１０１と映像伝送端末１１０２とが非映像専用伝送路での接続を確立済みであり、かつ映像伝送端末１１０２と映像受信端末１１０３とが映像専用伝送路での接続を確立済みであり、外部端末１１０１の送信権獲得カテゴリが制限され、外部端末１１０１が送信権を獲得する機会が減り、映像伝送端末１１０２と映像受信端末１１０３の間の通信が優先されている様子を示している。
【０１０５】
送信権獲得カテゴリに関して、図１２を用いて説明する。送信権獲得カテゴリとは、伝送するデータのリアルタイム性やデータ種別に応じて予め決定された値が設定されたＡＩＦＳと、ＣＷと、ＴＸＯＰとの各パラメータを含むパラメータ群である。図１２には、送信権獲得カテゴリとして、音声データ伝送に対応したＶｏｉｃｅ、映像データ伝送に対応したＶｉｄｅｏ、Ｂｅｓｔ  Ｅｆｆｏｒｔ、Ｂａｃｋ  Ｇｒｏｕｎｄの４つが示されている。各送信権獲得カテゴリには優先順位（優先度）が付与されており、図１２では、Ｖｏｉｃｅ、Ｖｉｄｅｏ、Ｂｅｓｔ  Ｅｆｆｏｒｔ、Ｂａｃｋ  Ｇｒｏｕｎｄの順に優先度が高い。
【０１０６】
送信権獲得カテゴリによるデータ伝送の帯域制限は、リアルタイム性やデータ種別に応じて、使用するパラメータ値を変更することで行われる。例えば、映像を伝送する場合、図１２のＶｉｄｅｏの欄で規定されているパラメータを使用して送信権の獲得が行われ、音声を伝送する場合、図１２のＶｏｉｃｅの欄で規定されているパラメータを使用して送信権の獲得が行われる。
【０１０７】
ＡＩＦＳとＣＷとで決定される送信権獲得待機時間によるデータ伝送の制御が、無線通信のデータリンクレベルの伝送制御であるため、送信権獲得カテゴリによるデータ伝送の制御も同様に、データリンクレベルの伝送制御である。
【０１０８】
図１３は、外部端末１１０１の動作を示している。本図を用いて外部端末１１０１の動作を説明する。
【０１０９】
なお、第２の実施形態における外部端末１１０１の構成は、図３で示される構成と同じ構成である。ただし、通信制御部３０２が、送信権獲得カテゴリで規定されたパラメータに応じて外部端末１１０１の送信権獲得待機時間を変更し、記憶部３０４が送信権獲得カテゴリと、各カテゴリで規定されているパラメータ値とを記憶していることが異なる。
【０１１０】
また、第２の実施形態における外部端末１１０１の動作の一部は、第１の実施形態で説明した動作と同じ動作であるが、ステップＳ１３０１からステップＳ１３０３で示される動作が、第１の実施形態で説明した動作とは異なる動作である。以下、各ステップの動作について説明する。
【０１１１】
ステップＳ１３０１は、ステップＳ４０３で伝送待機データが無線通信部３０５に存在すると判定された場合、及びステップＳ４０４で映像伝送端末１１０２に伝送するデータが記憶部３０４に記憶されていると判定された場合に、通信制御部３０２が、記憶部３０４に予め記憶されている送信権獲得カテゴリ、映像伝送端末１１０２による送信権獲得カテゴリの制限の有無、及び伝送するデータの種別とリアルタイム性に応じて、送信権獲得待機時間の設定を行う処理である。
【０１１２】
例えば、外部端末１１０１が、映像伝送端末１１０２から送信権獲得カテゴリ制限命令を受信し、送信権獲得カテゴリ制限命令によって、外部端末１１０１の送信権獲得カテゴリがＢｅｓｔＥｆｆｏｒｔの優先度までの送信権獲得カテゴリで制限されていた場合、映像データを伝送する場合においても、ＶｉｄｅｏではなくＢｅｓｔＥｆｆｏｒｔで規定されたパラメータに基づき、外部端末１１０１の送信権獲得待機時間が決定される。
【０１１３】
ステップＳ１３０２は、ステップＳ４０４で伝送するデータが存在しないと判定された場合、及びステップＳ４０５，Ｓ４０６で発行されるデータ伝送完了通知を受け付けた場合に、端末制御部３０１が、無線通信部３０５及びアンテナ３０６を経由して映像伝送端末１１０２から送信権獲得カテゴリ制限命令を受信したかどうかの判定を行う処理である。
【０１１４】
なお、第２の実施形態における送信権獲得カテゴリ制限命令は、外部端末１１０１がデータ伝送の際に使用する送信権獲得カテゴリの上限を指定する、或いは送信権獲得カテゴリの制限を解除する情報である送信権獲得カテゴリ制限情報を少なくとも含む情報である。
【０１１５】
端末制御部３０１は、送信権獲得カテゴリ制限命令を受信していた場合、送信権獲得カテゴリ制限命令に付加された送信権獲得カテゴリ制限情報を記憶部３０４に記憶した後、ステップＳ１３０３で示される送信権獲得カテゴリ制限処理に遷移し、送信権獲得カテゴリ制限命令を受信していない場合、ステップＳ４０９で示される、データ伝送処理終了命令が発行されているかどうかの判定処理に遷移する。
【０１１６】
ステップＳ１３０３は、端末制御部３０１が通信制御部３０２に対して、映像伝送端末１１０２から送信権獲得カテゴリが制限されていることを通知する送信権獲得カテゴリ制限通知を発行する処理である。通信制御部３０２は、送信権獲得カテゴリ制限通知を受け付けた場合、送信権獲得カテゴリ制限通知に基づき、ステップＳ１３０１で示される送信権獲得待機時間設定処理における送信権獲得カテゴリの制限を行うかどうかを決定する。
【０１１７】
送信権獲得カテゴリの上限を指定する送信権獲得カテゴリ制限情報を含む送信権獲得カテゴリ制限命令が受信された場合、ステップＳ１３０３では送信権獲得カテゴリの制限を行うと決定される。この場合、ステップＳ１３０１では、記憶部３０４に記憶されている送信権獲得カテゴリ制限情報が示す送信権獲得カテゴリの上限の優先度以下の優先度に対応する送信権獲得カテゴリに基づく送信権獲得待機時間が通信制御部３０２に設定される。
【０１１８】
また、送信権獲得カテゴリの制限を解除する送信権獲得カテゴリ制限情報を含む送信権獲得カテゴリ制限命令が受信された場合、ステップＳ１３０３では送信権獲得カテゴリの制限を行わないと決定される。この場合、ステップＳ１３０１では、伝送するデータの種別とリアルタイム性に応じて、記憶部３０４に記憶されている送信権獲得カテゴリの何れかに基づく送信権獲得待機時間が通信制御部３０２に設定される。
【０１１９】
図１４は、映像伝送端末１１０２の動作を示している。本図を用いて映像伝送端末１１０２の動作を説明する。
【０１２０】
なお、第２の実施形態における映像伝送端末１１０２の構成は、図５で示される構成と同じ構成である。ただし、通信制御部５０２が、映像受信端末１１０３に対して映像データの伝送を行う際に使用する送信権獲得カテゴリよりも優先度が低いカテゴリになるように送信権獲得カテゴリを限定する送信権獲得カテゴリ制限命令を、無線通信部５０６及びアンテナ５０７を経由して外部端末１１０１に送信し、記憶部３０４が送信権獲得カテゴリと、各カテゴリで規定されているパラメータ値とを記憶していることが異なる。
【０１２１】
また、第２の実施形態における映像伝送端末１１０２の動作の一部は、第１の実施形態で説明した動作と同じであるが、ステップＳ１４０１とステップＳ１４０２の動作が、第１の実施形態で説明した動作とは異なる動作である。以下、各ステップの動作について説明する。
【０１２２】
ステップＳ１４０１は、ステップＳ６０３で映像伝送端末１１０２が映像専用伝送路で接続されたと判定された場合に、端末制御部５０１が通信制御部５０２に対して送信権獲得カテゴリ制限通知を発行し、通信制御部５０２が、送信権獲得カテゴリ制限通知を受け付けると、送信権獲得カテゴリ制限命令を、無線通信部５０６及びアンテナ５０７を経由して外部端末１１０１に送信する処理である。ステップＳ１４０１で送信される送信権獲得カテゴリ制限命令は、外部端末１１０１から映像伝送端末１１０２にデータが伝送される際に使用される送信権獲得カテゴリの優先度を、映像伝送端末１１０２から映像受信端末１１０３に映像データが伝送される際に使用される送信権獲得カテゴリの優先度以下に限定させる送信権獲得カテゴリ制限情報を少なくとも含む。
【０１２３】
例えば、映像伝送端末１１０２が映像受信端末１１０３に映像データを伝送する際に使用する送信権獲得カテゴリがＶｉｄｅｏであった場合、ＢｅｓｔＥｆｆｏｒｔまでの送信権獲得カテゴリを使用するように送信権獲得カテゴリを制限させる送信権獲得カテゴリ制限命令が外部端末１１０１に送信される。
【０１２４】
ステップＳ１４０２は、ステップＳ６１２で映像専用伝送路の切断が完了した場合に、端末制御部５０１が通信制御部５０２に対して送信権獲得カテゴリ制限解除通知を発行し、通信制御部５０２が、送信権獲得カテゴリ制限解除通知を受け付けると、送信権獲得カテゴリ制限命令を、無線通信部５０６及びアンテナ５０７を経由して外部端末１１０１に送信する処理である。ステップＳ１４０２で送信される送信権獲得カテゴリ制限命令は、外部端末１１０１から映像伝送端末１１０２にデータが伝送される際に使用される送信権獲得カテゴリの制限を解除する送信権獲得カテゴリ制限情報を少なくとも含む。
【０１２５】
第２の実施形態における映像受信端末１１０３の構成及び動作は、第１の実施形態における映像受信端末１０３の構成及び動作と同様である。
【０１２６】
なお、第２の実施形態においては、送信権獲得カテゴリ制限情報を含む送信権獲得カテゴリ制限命令の受信に基づき、送信権獲得カテゴリ制限情報が示す送信権獲得カテゴリの上限の優先度以下の優先度に対応する送信権獲得カテゴリに基づく送信権獲得待機時間を外部端末１１０１が設定することで、映像専用伝送路における通信を優先的に行わせるが、外部端末１１０１の送信権獲得カテゴリを最低の優先度に設定させ、映像伝送端末１１０２が自端末の送信権獲得カテゴリを最高の優先度のみに限定することで、帯域を映像専用伝送路における通信にほぼ全て割り当てても良い。
【０１２７】
上述したように、第２の実施形態によれば、映像伝送端末１１０２と外部端末１１０１の間で非映像専用伝送路を用いてデータ伝送が行われ、映像伝送端末１１０２と映像受信端末１１０３の間で映像専用伝送路を用いて映像データ伝送が行われる場合に、映像伝送端末１１０２から外部端末１１０１に対して、送信権獲得カテゴリの上限を指定する送信権獲得カテゴリ制限命令が送信される。これによって、外部端末１１０１において、映像伝送端末１１０２に設定されている送信権獲得カテゴリよりも優先度が低くなるように送信権獲得カテゴリが変更される。したがって、アクセスポイント（基地局）としての映像伝送端末１１０２を含む無線通信システム全体で、リアルタイム性を有するデータを優先して伝送することができる。
【０１２８】
また、映像伝送端末１１０２と映像受信端末１１０３の間の映像専用伝送路の接続が切断された場合に、外部端末１１０１の送信権獲得カテゴリの制限を解除する送信権獲得カテゴリ制限命令が外部端末１１０１に送信される。これによって、外部端末１１０１において、送信権獲得カテゴリの制限が解除される。したがって、他のデータ伝送よりも優先して行っていた映像データ伝送が終了した後、他のデータ伝送における送信権獲得カテゴリの制限を解除することができる。
【０１２９】
（第３の実施形態）
次に、本発明の第３の実施形態を説明する。第３の実施形態は、第１の実施形態の変形例である。図１５は、送信権獲得カテゴリが予め設定されており、かつ外部端末と映像伝送端末が送信権獲得カテゴリを共有している場合において、映像伝送端末が、最優先の優先度を持つ新規送信権獲得カテゴリを生成し、新規送信権獲得カテゴリを利用して、映像伝送端末から映像受信端末に映像専用伝送路でデータを伝送することで、映像伝送端末と映像受信端末との間の通信を優先的に行わせる映像専用伝送路優先システムの一例である。新規送信権獲得カテゴリに関しては後述する。
【０１３０】
図１５に示す例では、映像伝送端末１５０２が構築したネットワークにおいて、外部端末１５０１と映像伝送端末１５０２とが、映像伝送端末１５０２をアクセスポイント、外部端末１５０１をステーションとして、非映像専用伝送路での接続を確立している環境で、映像伝送端末１５０２と映像受信端末１５０３とが映像専用伝送路での接続を確立した場合の各端末の通信の状態を示している。図１５に示す例では、映像伝送端末１５０２が、予め設定されている送信権獲得カテゴリよりも更に優先度が高いパラメータを持つ新規送信権獲得カテゴリを生成し、新規送信権獲得カテゴリを利用して映像受信端末１５０３に映像データを送信する。これによって、外部端末１５０１が送信権を獲得する機会が減り、映像伝送端末１５０２と映像受信端末１５０３との間の通信が優先される。つまり、映像伝送端末１５０２が送信権を獲得する確率が、外部端末１５０１が送信権を獲得する確率よりも高くなる。
【０１３１】
図１５（Ａ）は、映像伝送端末１５０２が構築したネットワークにおいて、外部端末１５０１と映像伝送端末１５０２とが非映像専用伝送路での接続を確立済みであり、映像伝送端末１５０２と映像受信端末１５０３とが映像専用伝送路での接続を確立した様子を示している。
【０１３２】
図１５（Ｂ）は、映像伝送端末１５０２が構築したネットワークにおいて、外部端末１５０１と映像伝送端末１５０２とが非映像専用伝送路での接続を確立済みであり、かつ映像伝送端末１５０２と映像受信端末１５０３とが映像専用伝送路での接続を確立済みであり、映像伝送端末１５０２が新規送信権獲得カテゴリを生成し、映像伝送端末１５０２が映像受信端末１５０３に映像データを送信する際に使用する送信権獲得カテゴリが、新規送信権獲得カテゴリに設定されている様子を示している。
【０１３３】
図１５（Ｃ）は、映像伝送端末１５０２が構築したネットワークにおいて、外部端末１５０１と映像伝送端末１５０２とが非映像専用伝送路での接続を確立済みであり、かつ映像伝送端末１５０２と映像受信端末１５０３とが映像専用伝送路での接続を確立済みであり、映像伝送端末１５０２が新規送信権獲得カテゴリで映像受信端末１５０３に映像データを送信することにより、外部端末１５０１が送信権を獲得する機会が減り、映像伝送端末１５０２と映像受信端末１５０３の間の通信が優先されている様子を示している。
【０１３４】
新規送信権獲得カテゴリに関して、図１６を用いて説明する。新規送信権獲得カテゴリは、従来の通信プロトコルで規定された、その他の送信権獲得カテゴリよりも優先的に送信権が獲得されるように、ＡＩＦＳと、ＣＷと、ＴＸＯＰとの各パラメータが設定された送信権獲得カテゴリである。例えば、図１６における新規送信権獲得カテゴリは、最も優先度が高いＢｅｓｔ  Ｐｒｉｏｒｉｔｙであり、ＡＩＦＳとＣＷの設定値が、他の送信権獲得カテゴリのＡＩＦＳとＣＷの設定値よりも小さく設定されているため、送信権獲得待機時間が短くなり、かつＴＸＯＰに対してＶｉｄｅｏと同様に大きい値が設定されているため、送信可能な期間が長期になる。即ち、新規送信権獲得カテゴリを使用することにより、その他の送信権獲得カテゴリを使用する場合よりも優先的なデータ伝送が可能となる。
【０１３５】
ＡＩＦＳとＣＷとで決定される送信権獲得待機時間によるデータ伝送の制御が、無線通信のデータリンクレベルの伝送制御であるため、新規送信権獲得カテゴリによるデータ伝送の制御も同様に、データリンクレベルの伝送制御である。
【０１３６】
図１７は、外部端末１５０１の動作を示している。本図を用いて外部端末１５０１の動作を説明する。
【０１３７】
なお、第３の実施形態における外部端末１５０１の構成の一部は、図３で示される構成と同じ構成である。ただし、通信制御部３０２が、送信権獲得カテゴリで規定されたパラメータに応じて外部端末１５０１の送信権獲得待機時間を変更し、記憶部３０４が送信権獲得カテゴリと、各カテゴリで規定されているパラメータ値とを記憶していることが異なる。
【０１３８】
図１７に示すように、第３の実施形態における外部端末１５０１は、第１の実施形態におけるステップＳ４０７で示される、送信権獲得待機時間変更命令を受信したかどうかの判定処理、及びステップＳ４０８で示される送信権獲得待機時間変更処理を行わない。また、第３の実施形態における外部端末１５０１の動作では、ステップＳ４０５で示される送信権獲得待機処理が第１の実施形態における送信権獲得待機処理と異なる。ステップＳ４０５では、通信制御部３０２が、伝送するデータの種別及びリアルタイム性に基づき無線通信部３０５に設定した送信権獲得待機時間に基づいて、送信権の獲得を待つ。
【０１３９】
図１８は、映像伝送端末１５０２の構成を示している。本図を用いて映像伝送端末１５０２の構成を説明する。
【０１４０】
第３の実施形態における映像伝送端末１５０２は、図５で示される第１の実施形態における映像伝送端末１０２の構成を有することに加え、新規送信権獲得カテゴリを生成する送信権獲得カテゴリ生成部１８０１を有する。また、第１の実施形態における映像伝送端末１０２と比較して、通信制御部５０２が、記憶部５０４に記憶されている送信権獲得カテゴリ及び新規送信権獲得カテゴリに基づき、送信権獲得待機時間を無線通信部５０６に設定し、記憶部５０４が、従来の通信プロトコルで規定されている送信権獲得カテゴリ、及び送信権獲得カテゴリ生成部１８０１により生成された新規送信権獲得カテゴリを更に記憶することが異なる。
【０１４１】
図１９は、映像伝送端末１５０２の動作を示している。本図を用いて映像伝送端末１５０２の動作を説明する。
【０１４２】
なお、第３の実施形態における映像伝送端末１５０２の動作の一部は、第１の実施形態で説明した動作と同じ動作であるが、ステップＳ１９０１からステップＳ１９０４の動作が、第１の実施形態で説明した動作とは異なる動作である。以下、各ステップの動作について説明する。
【０１４３】
ステップＳ１９０１は、ステップＳ６０３において映像専用伝送路で接続されたと判定された場合に、端末制御部５０１から送信権獲得カテゴリ生成部１８０１に対して、新規送信権獲得カテゴリ生成命令が発行され、送信権獲得カテゴリ生成部１８０１が、新規送信権獲得カテゴリ生成命令を受け付けると、行われる処理である。ステップＳ１９０１では、送信権獲得カテゴリ生成部１８０１は、その他の送信権獲得カテゴリよりも優先される送信権獲得カテゴリを新規に生成し、記憶部５０４に記憶する。なお、第３の実施形態における新規送信権獲得カテゴリ生成命令とは、送信権獲得カテゴリ生成部１８０１に対して、新規送信権獲得カテゴリの生成処理を行わせる命令である。
【０１４４】
ステップＳ１９０２は、ステップＳ１９０１で新規送信権獲得カテゴリが生成され、記憶部５０４に記憶された後に行われる処理である。ステップＳ１９０２では、端末制御部５０１から通信制御部５０２に発行される新規送信権獲得カテゴリ設定要求を受け付けると、通信制御部５０２は、無線通信部５０６に対して、生成した新規送信権獲得カテゴリに基づき、送信権獲得待機時間を設定する。なお、第３の実施形態における新規送信権獲得カテゴリ設定要求とは、通信制御部５０２に対して、新規送信権獲得カテゴリのパラメータに基づき、送信権獲得待機時間を無線通信部５０６に設定させる命令である。また、新規送信権獲得カテゴリは、従来の通信プロトコルでは規定されていない送信権獲得カテゴリであるが、設定される送信権獲得待機時間が、従来の通信プロトコルで規定された送信権獲得カテゴリにより設定される送信権獲得待機時間と異なるだけである。
【０１４５】
ステップＳ１９０３は、ステップＳ６１２で示される映像専用伝送路の切断処理が完了した後に行われる処理である。ステップＳ１９０３では、端末制御部５０１から通信制御部５０２に発行される送信権獲得カテゴリ限定解除要求に基づき、通信制御部５０２は、無線通信部５０６に対して、新規送信権獲得カテゴリ以外の送信権獲得カテゴリに基づく送信権獲得待機時間を設定する。なお、第３の実施形態における送信権獲得カテゴリ限定解除要求とは、通信制御部５０２に対して、新規送信権獲得カテゴリ以外の送信権獲得カテゴリのパラメータに基づき、送信権獲得待機時間を無線通信部５０６に設定させる命令である。
【０１４６】
ステップＳ１９０４は、ステップＳ１９０３の送信権獲得カテゴリ限定解除処理が完了した後に行われる処理である。ステップＳ１９０４では、端末制御部５０１は、記憶部５０４に記憶されている新規送信権獲得カテゴリを削除（消去）する。
【０１４７】
第３の実施形態における映像受信端末１５０３の構成及び動作は、第１の実施形態における映像受信端末１０３の構成及び動作と同様である。
【０１４８】
なお、第３の実施形態においては、映像伝送端末１５０２が、その他の送信権獲得カテゴリよりも優先される送信権獲得カテゴリを新規に生成し、更に映像専用伝送路でその他の送信権獲得カテゴリよりも優先される送信権獲得カテゴリに基づき映像専用伝送路での通信を行うことで、映像専用伝送路における通信を優先的に行わせるが、映像伝送端末１５０２が、新規送信権獲得カテゴリを生成する際、ＡＩＦＳ及びＣＷの値を共に最小値に限りなく近い値に設定し、帯域を映像専用伝送路における通信にほぼ全て割り当てても良い。
【０１４９】
第３の実施形態における映像伝送端末１５０２は、最上位概念の本発明における無線通信端末に対応する。例えば無線通信部５０６を本発明の無線通信端末における無線通信部とし、ネットワーク構築部５０３を本発明の無線通信端末におけるネットワーク構築部とし、通信制御部５０２を本発明の無線通信端末における通信制御部とすることで本発明の無線通信端末を構成可能である。
【０１５０】
上述したように、第３の実施形態によれば、映像伝送端末１５０２と外部端末１５０１の間で非映像専用伝送路を用いてデータ伝送が行われ、映像伝送端末１５０２と映像受信端末１５０３の間で映像専用伝送路を用いて映像データ伝送が行われる場合に、映像伝送端末１５０２が、従来の通信プロトコルで規定されている送信権獲得カテゴリよりも優先度が高い新規送信権獲得カテゴリを生成し、自身に設定する。したがって、アクセスポイント（基地局）としての映像伝送端末１５０２を含む無線通信システム全体で、リアルタイム性を有するデータを優先して伝送することができる。
【０１５１】
また、映像伝送端末１５０２と映像受信端末１５０３の間の映像専用伝送路の接続が切断された場合に、映像伝送端末１５０２の新規送信権獲得カテゴリが解除される。これによって、映像伝送端末１５０２において、外部端末１１０１に設定されている送信権獲得待機時間よりも長くなるように変更された送信権獲得待機時間が、従来の通信プロトコルで規定されている送信権獲得カテゴリに基づく送信権獲得待機時間に変更される。したがって、他のデータ伝送よりも優先して行っていた映像データ伝送が終了した後、その映像データ伝送における送信権獲得カテゴリを元に戻すことができる。
【０１５２】
（第４の実施形態）
次に、本発明の第４の実施形態を説明する。図２０は、映像を伝送する映像伝送端末と、映像伝送端末から送信される映像を受信して表示する映像受信端末とが映像専用伝送路で接続されたタイミングにおいて、映像伝送端末が非映像専用伝送路で外部端末と既に接続されていた場合に、映像伝送端末から外部端末に対して伝送抑制指示が送信されることにより、外部端末と映像伝送端末との間の通信を制限し、映像伝送端末と映像受信端末との間の通信を優先的に行わせる映像専用伝送路優先システムの一例である。
【０１５３】
図２０に示す例は、映像伝送端末２００２が構築したネットワークにおいて、外部端末２００１と映像伝送端末２００２とが、映像伝送端末２００２をアクセスポイント、外部端末２００１をステーションとして、非映像専用伝送路での接続を確立している環境で、映像伝送端末２００２と映像受信端末２００３とが映像専用伝送路での接続を確立した場合の各端末の通信の状態を示している。図２０に示す例では、映像伝送端末２００２から映像受信端末２００３に伝送される映像データが映像受信端末２００３に所定の量（フレーム数）だけバッファリングされている場合にのみ、映像伝送端末２００２が外部端末２００１に対して伝送指示を送信することで外部端末２００１のデータ伝送が制限され、映像伝送端末２００２と映像受信端末２００３との間の通信が優先される。つまり、映像伝送端末２００２が送信権を獲得する確率が、外部端末２００１が送信権を獲得する確率よりも高くなる。映像受信端末２００３に十分な量の映像データがバッファリングされていれば、映像伝送端末２００２が映像データの送信を待機してもよいので、その待機時間を利用して、外部端末２００１から映像伝送端末２００２にデータが伝送される。
【０１５４】
図２０（Ａ）は、映像伝送端末２００２が構築したネットワークにおいて、外部端末２００１と映像伝送端末２００２とが非映像専用伝送路での接続を確立済みであり、映像伝送端末２００２と映像受信端末２００３とが映像専用伝送路での接続を確立した様子を示している。
【０１５５】
図２０（Ｂ）は、映像伝送端末２００２が構築したネットワークにおいて、外部端末２００１と映像伝送端末２００２とが非映像専用伝送路での接続を確立済みであり、かつ映像伝送端末２００２と映像受信端末２００３とが映像専用伝送路での接続を確立済みであり、映像伝送端末２００２と映像受信端末２００３とが映像データの伝送及びバッファリング済みフレーム数の情報の送受信を行い、その間、映像伝送端末２００２が外部端末２００１に対して伝送抑制指示（制御データ）を送信することで、外部端末２００１と映像伝送端末２００２との間の通信が制限されている様子を示している。
【０１５６】
図２０（Ｃ）は、映像伝送端末２００２が構築したネットワークにおいて、外部端末２００１と映像伝送端末２００２とが非映像専用伝送路での接続を確立済みであり、かつ映像伝送端末２００２と映像受信端末２００３とが映像専用伝送路での接続を確立済みであり、更に映像伝送端末２００２から映像受信端末２００３に伝送される映像データが映像受信端末２００３で所定のフレーム数バッファリングされている状態において、映像伝送端末２００２から外部端末２００１に対して伝送指示が送信され、外部端末２００１から映像伝送端末２００２にデータが伝送されている様子を示している。
【０１５７】
図２０（Ｄ）は、映像伝送端末２００２が構築したネットワークにおいて、外部端末２００１と映像伝送端末２００２とが非映像専用伝送路での接続を確立済みであり、かつ映像伝送端末２００２と映像受信端末２００３とが映像専用伝送路での接続を確立済みであり、更に映像伝送端末２００２の伝送指示に基づく、外部端末２００１から映像伝送端末２００２に対するデータ伝送が完了した状態において、再度、映像伝送端末２００２と映像受信端末２００３とが映像データの伝送及びバッファリング済みのフレーム数の情報の送受信を行い、その間、外部端末２００１と映像伝送端末２００２との間の通信が制限されている様子を示している。
【０１５８】
なお、第４の実施形態においては、上記の伝送指示及び伝送抑制指示は、ＩＥＥＥ８０２．１１ｅで定義されるＨＣＣＡに基づき行われるものとし、ＨＣＣＡによるデータ伝送の制御が無線通信のデータリンクレベルの伝送制御となる。
【０１５９】
図２１は、外部端末２００１の構成を示している。本図を用いて外部端末２００１の構成を説明する。外部端末２００１は、端末制御部２１０１と、通信制御部２１０２と、ネットワーク接続制御部２１０３と、記憶部２１０４と、無線通信部２１０５と、アンテナ２１０６と、操作部２１０７とを備える。
【０１６０】
端末制御部２１０１は外部端末２００１の動作を制御する。通信制御部２１０２は、映像伝送端末１０２から受信した伝送指示或いは伝送抑制指示に基づき、無線通信部２１０５及びアンテナ２１０６を経由したデータ伝送の制御を行う。ネットワーク接続制御部２１０３は、無線通信部２１０５及びアンテナ２１０６を経由して非映像専用伝送路でのネットワーク接続を確立する。記憶部２１０４は、伝送するデータ等を記憶する。無線通信部２１０５及びアンテナ２１０６は映像伝送端末２００２と無線通信を行う。操作部２１０７は、ユーザが行う操作に基づき入力を受け付けるユーザインターフェースである。
【０１６１】
図２２は、外部端末２００１の動作を示している。本図を用いて外部端末２００１の動作を説明する。
【０１６２】
端末制御部２１０１は、操作部２１０７の操作により外部端末２００１の電源が投入されたことをトリガとして、外部端末データ伝送処理を開始する。
【０１６３】
なお、第４の実施形態における外部端末データ伝送処理は、外部端末２００１の電源が投入されたことをトリガとして開始される処理であるが、操作部２１０７の操作により外部端末データ伝送処理の開始命令が入力されたことをトリガとして外部端末データ伝送処理を開始しても良く、本発明の要旨を逸脱しなければ、外部端末データ伝送処理の開始条件は、外部端末２００１に対する電源の投入のみに限定されるものではない。
【０１６４】
端末制御部２１０１は、外部端末データ伝送処理が開始されると、接続受付通知受信処理を行わせる命令である接続受付通知受信命令を無線通信部２１０５に発行する。無線通信部２１０５は、接続受付通知受信命令を受け付けると、アンテナ２１０６を経由して、映像伝送端末１０２から接続受付通知が伝送されているかどうかの検索を行う（ステップＳ２２０１）。端末制御部２１０１は、接続受付通知が伝送されていた場合、接続受付通知を記憶部２１０４に記憶した後、端末制御部２１０１に接続受付通知受信完了通知を発行し、接続受付通知が伝送されていなかった場合、一定時間待機した後、ステップＳ２２０１で示される、接続受付通知が伝送されているかどうかの検索を再度行う。
【０１６５】
端末制御部２１０１は、接続受付通知受信完了通知を受け付けると、映像伝送端末２００２と非映像専用伝送路での接続シーケンスを開始させる命令である非映像専用路接続開始命令を通信制御部２１０２に発行する。通信制御部２１０２は、非映像専用伝送路接続開始命令を受け付けると、映像伝送端末２００２と非映像専用伝送路での接続シーケンスを開始し、接続が完了した後、端末制御部２１０１に対して、非映像専用伝送路の接続が完了したことを通知する接続完了通知を発行する（ステップＳ２２０２）。
【０１６６】
端末制御部２１０１は、接続完了通知を受け付けると、伝送待機データが無線通信部２１０５に存在するかどうかの判定を行う（ステップＳ２２０３）。端末制御部２１０１は、伝送待機データが存在する場合、ステップＳ２２０５で示される伝送指示の受信判定処理に遷移し、伝送待機データが存在しない場合、ステップＳ２２０４で示される伝送データの有無の判定処理に遷移する。なお、第４の実施形態における伝送待機データとは、ステップＳ２２０５で伝送抑制指示を受信していた場合に、無線通信部２１０５にバッファリングされるデータとする。
【０１６７】
端末制御部２１０１は、ステップＳ２２０３で伝送待機データが無線通信部２１０５に存在しなかったと判定した場合、映像伝送端末２００２に伝送するデータが記憶部２１０４に記憶されているかどうかの判定を行う（ステップＳ２２０４）。端末制御部２１０１は、映像伝送端末２００２に伝送するデータが記憶されている場合、伝送データを無線通信部２１０５に記憶し、ステップＳ２２０５で示される伝送指示の受信判定処理に遷移し、映像伝送端末２００２に伝送するデータが記憶されていない場合、ステップＳ２２０７で示される、データ伝送処理終了命令が発行されているかどうかの判定処理に遷移する。
【０１６８】
端末制御部２１０１は、ステップＳ２２０３で伝送待機データが無線通信部２１０５に存在すると判定された場合、及びステップＳ２２０４で映像伝送端末２００２に伝送するデータが記憶部２１０４に記憶されていると判定された場合、通信制御部２１０２にデータ伝送命令を発行する。通信制御部２１０２は、データ伝送命令を受け付けると、無線通信部２１０５及びアンテナ２１０６を経由して映像伝送端末２００２から伝送指示を受信したかどうかの判定を行う（ステップＳ２２０５）。端末制御部２１０１は、伝送指示を受信している場合、ステップＳ２２０６で示されるデータ伝送処理に遷移し、伝送指示ではなく伝送抑制指示を受信している場合、端末制御部２１０１に対して、データの伝送が失敗したことを示すデータ伝送完了通知を発行する。
【０１６９】
通信制御部２１０２は、ステップＳ２２０５で映像伝送端末２００２から伝送指示を受信していると判定した場合、無線通信部２１０５及びアンテナ２１０６を制御して、無線通信部２１０５にバッファリングされているデータを映像伝送端末２００２に送信して、端末制御部２１０１に対して、データの伝送が成功したことを示すデータ伝送完了通知を発行する（ステップＳ２２０６）。
【０１７０】
端末制御部２１０１は、ステップＳ２２０４で映像伝送端末２００２に伝送するデータが記憶部２１０４に記憶されていないと判定された場合、及びステップＳ２２０５，Ｓ２２０６で発行されるデータ伝送完了通知を受け付けた場合、データ伝送処理終了命令が発行されているかどうかの判定を行う（ステップＳ２２０７）。端末制御部２１０１は、データ伝送処理終了命令が発行されている場合、外部端末データ伝送処理を終了し、データ伝送処理終了命令が発行されていない場合、ステップＳ２２０３で示される、伝送待機データが存在するかどうかの判定処理から再度処理を行う。
【０１７１】
なお、第４の実施形態におけるデータ伝送処理終了命令は、外部端末２００１と映像伝送端末２００２との間の非映像専用伝送路が切断されたことをトリガとして発行される命令であるが、操作部２１０７の操作によりデータ伝送処理の終了命令が入力されたことをトリガとして発行されても良く、本発明の要旨を逸脱しなければ、データ伝送処理終了命令が発行される条件は、非映像専用伝送路の切断のみに限定されるものではない。
【０１７２】
図２３は、映像伝送端末２００２の構成を示している。本図を用いて映像伝送端末２００２の構成を説明する。映像伝送端末２００２は、端末制御部２３０１と、フレーム数判定部２３０２と、通信制御部２３０３と、ネットワーク構築部２３０４と、記憶部２３０５と、伝送路判定部２３０６と、無線通信部２３０７と、アンテナ２３０８と、操作部２３０９とを備える。
【０１７３】
端末制御部２３０１は映像伝送端末２００２の動作を制御する。フレーム数判定部２３０２は、映像受信端末２００３から受信する、映像受信端末２００３にバッファリングされている映像データのフレーム数を示す情報を少なくとも含むバッファ済フレーム数情報に基づき、映像受信端末２００３に所定のフレーム数の映像データがバッファリングされているかどうかの判定を行う。通信制御部２３０３は、無線通信部２３０７及びアンテナ２３０８を経由して、外部端末２００１に伝送指示及び伝送抑制指示を送信し、無線通信部２３０７及びアンテナ２３０８を経由したデータ伝送の制御を行う。ネットワーク構築部２３０４は、外部端末２００１及び映像受信端末２００３が参加可能なネットワークの構築、外部端末２００１との非映像専用伝送路の接続の確立、及び映像受信端末２００３との映像専用伝送路の接続の確立を行う。
【０１７４】
記憶部２３０５は、無線通信部２３０７及びアンテナ２３０８を経由して外部端末２００１から受信したデータ、及び映像受信端末２００３に伝送する映像データを記憶する。伝送路判定部２３０６は、ネットワーク構築部２３０４が無線通信部２３０７及びアンテナ２３０８を経由して確立した接続が非映像専用伝送路と映像専用伝送路との何れであるかを判定する。無線通信部２３０７及びアンテナ２３０８は外部端末２００１及び映像受信端末２００３と無線通信を行う。操作部２３０９は、ユーザが行う操作に基づき入力を受け付けるユーザインターフェースである。
【０１７５】
図２４は、映像伝送端末２００２の動作を示している。本図を用いて映像伝送端末２００２の動作を説明する。
【０１７６】
端末制御部２３０１は、操作部２３０９の操作により映像伝送端末２００２の電源が投入されたことをトリガとして、映像伝送端末映像伝送処理を開始する。
【０１７７】
なお、第４の実施形態における映像伝送端末映像伝送処理は、映像伝送端末２００２の電源が投入されたことをトリガとして開始される処理であるが、非映像専用伝送路の接続が確立された状態で、操作部２３０９の操作により映像伝送端末映像伝送処理の開始命令が入力されたことをトリガとして映像伝送端末映像伝送処理を開始しても良く、本発明の要旨を逸脱しなければ、映像伝送端末映像伝送処理の開始条件は、映像伝送端末２００２に対する電源の投入のみに限定されるものではない。
【０１７８】
端末制御部２３０１は、映像伝送端末映像伝送処理が開始されると、接続開始命令が発行されているかどうかの判定を行う（ステップＳ２４０１）。端末制御部２３０１は、接続開始命令が発行されている場合、ステップＳ２４０２で示される伝送路の接続処理に遷移し、接続開始命令が発行されていない場合、ステップＳ２４０３で示される、映像専用伝送路が接続済みかどうかの判定処理に遷移する。
【０１７９】
なお、第４の実施形態における映像伝送端末２００２は、映像伝送端末映像伝送処理が開始されると、ネットワーク構築部２３０４を制御して、映像伝送端末２００２をアクセスポイントとしたネットワークを構築する。また、第４の実施形態における映像伝送端末２００２は、映像伝送端末映像伝送処理が開始され、更に映像伝送端末２００２をアクセスポイントとしたネットワークを構築すると、無線通信部２３０７及びアンテナ２３０８を経由して、映像伝送端末２００２が接続受付状態であることを通知する接続受付通知のマルチキャストでの定期的な送信を開始する。
【０１８０】
また、接続受付通知は、映像伝送端末２００２のネットワーク構築部２３０４が構築したネットワークのＳＳＩＤが少なくとも含まれる情報である。また、第４の実施形態における接続開始命令は、外部端末２００１或いは映像受信端末２００３から、無線通信部２３０７及びアンテナ２３０８を経由して、非映像専用伝送路接続要求或いは映像専用伝送路接続要求を受信したことをトリガとして発行される命令である。
【０１８１】
端末制御部２３０１は、ステップＳ２４０１で接続開始命令が発行されていると判定した場合、伝送路接続シーケンスを開始させる命令である伝送路接続シーケンス開始命令をネットワーク構築部２３０４に対して発行する。ネットワーク構築部２３０４は、伝送路接続シーケンス開始命令を受け付けると、無線通信部２３０７及びアンテナ２３０８を経由して、映像伝送端末２００２に接続要求を送信した外部端末２００１或いは映像受信端末２００３と伝送路の接続処理を行うと同時に、伝送路判定部２３０６を制御して、伝送路接続シーケンスの監視を行わせる。ネットワーク構築部２３０４は、外部端末２００１或いは映像受信端末２００３との伝送路の接続が完了すると、端末制御部２３０１に接続完了通知を発行する（ステップＳ２４０２）。
【０１８２】
なお、伝送路判定部２３０６は、伝送路の接続が完了すると同時に、接続した伝送路が非映像専用伝送路と映像専用伝送路のどちらであるのかを示す情報を少なくとも含む伝送路判定結果情報を記憶部２３０５に記憶する。
【０１８３】
端末制御部２３０１は、ステップＳ２４０１で接続開始命令が発行されていないと判定された場合、及びステップＳ２４０２で発行される接続完了通知を受け付けた場合、記憶部２３０５に記憶されている伝送路判定結果情報に基づき、映像伝送端末２００２が映像専用伝送路に接続済みかどうかの判定を行う（ステップＳ２４０３）。端末制御部２３０１は、映像伝送端末２００２が映像専用伝送路に接続済みであると判定された場合、ステップＳ２４０４で示される、映像受信端末２００３に伝送する映像データが記憶部２３０５に存在するかどうかの判定処理に遷移し、映像伝送端末２００２が映像専用伝送路に接続済みでないと判定された場合、ステップＳ２４０９で示される、外部端末２００１に対する伝送指示の送信処理に遷移する。
【０１８４】
端末制御部２３０１は、ステップＳ２４０３で映像伝送端末２００２が映像専用伝送路に接続済みであると判定された場合、映像受信端末２００３に伝送する映像データが記憶部２３０５に存在するかどうかの判定を行う（ステップＳ２４０４）。端末制御部２３０１は、映像受信端末２００３に伝送する映像データが存在する場合、伝送する映像データを無線通信部２３０７に記憶し、ステップＳ２４０５で示される、外部端末に対する伝送抑制指示の送信処理に遷移し、映像受信端末２００３に伝送する映像データが存在しない場合、ステップＳ２４０９で示される、外部端末２００１に対する伝送指示の送信処理に遷移する。
【０１８５】
端末制御部２３０１は、ステップＳ２４０４で映像受信端末２００３に伝送する映像データが存在すると判定された場合、通信制御部２３０３に対して、データ伝送抑制指示伝送命令を発行する。通信制御部２３０３は、データ伝送抑制指示伝送命令を受け付けると、無線通信部２３０７及びアンテナ２３０８を制御して、外部端末２００１にデータ伝送抑制指示を送信し、データ伝送抑制指示伝送完了通知を端末制御部２３０１に発行する（ステップＳ２４０５）。
【０１８６】
端末制御部２３０１は、ステップＳ２４０５で発行されるデータ伝送抑制指示伝送完了通知を受け付けると、無線通信部２３０７に映像データ伝送命令を発行する。無線通信部２３０７は、映像データ伝送命令を受け付けると、アンテナ２３０８を経由して、映像受信端末２００３に、無線通信部２３０７に記憶されている映像データを送信し、端末制御部２３０１に映像データ伝送完了通知を発行する（ステップＳ２４０６）。
【０１８７】
端末制御部２３０１は、ステップＳ２４０６で発行されるデータ伝送完了通知を受け付けると、無線通信部２３０７に対して、バッファ済フレーム数情報を受信させるバッファ済フレーム数情報受信命令を発行する。無線通信部２３０７は、バッファ済フレーム数情報受信命令を受け付けると、アンテナ２３０８を経由して、映像受信端末２００３からバッファ済フレーム数情報を受信し、記憶部２３０５に記憶した後、端末制御部２３０１にバッファ済フレーム数情報受信完了通知を発行する（ステップＳ２４０７）。
【０１８８】
端末制御部２３０１は、バッファ済フレーム数情報受信完了通知を受け付けると、記憶部２３０５に記憶されているバッファ済フレーム数情報が示すバッファ済フレーム数が所定のフレーム数以上かどうかの判定を行う（ステップＳ２４０８）。端末制御部２３０１は、バッファ済フレーム数が所定のフレーム数以上であると判定された場合、ステップＳ２４０９で示される、外部端末２００１に対する伝送指示の送信処理に遷移し、バッファ済フレーム数が所定のフレーム数以上でない（所定のフレーム数未満である）と判定された場合、ステップＳ２４１２で示される、映像専用伝送路接続終了命令が発行されているかどうかの判定処理に遷移する。
【０１８９】
端末制御部２３０１は、ステップＳ２４０３で映像伝送端末２００２が映像専用伝送路に接続済みでないと判定された場合、及びステップＳ２４０８でバッファ済フレーム数が所定のフレーム数以上であると判定された場合、通信制御部２３０３に対して、データ伝送指示伝送命令を発行する。通信制御部２３０３は、データ伝送指示伝送命令を受け付けると、無線通信部２３０７及びアンテナ２３０８を制御して、外部端末２００１にデータ伝送指示を送信し、データ伝送指示伝送完了通知を端末制御部２３０１に発行する（ステップＳ２４０９）。
【０１９０】
端末制御部２３０１は、ステップＳ２４０９で発行されるデータ伝送指示伝送完了通知を受け付けると、無線通信部２３０７に外部端末伝送データ受信命令を発行する。無線通信部２３０７は、外部端末伝送データ受信命令を受け付けると、アンテナ２３０８を経由して外部端末２００１から映像伝送端末２００２に対して伝送されているデータが存在するかどうかの判定を行う（ステップＳ２４１０）。端末制御部２３０１は、データが存在する場合、ステップＳ２４１１で示される、外部端末２００１からのデータ受信処理に遷移し、データが存在しない場合、端末制御部２３０１に対して、外部端末２００１からのデータが存在しなかったことを示す外部端末伝送データ受信完了通知を発行する。
【０１９１】
無線通信部２３０７は、ステップＳ２４１１で外部端末２００１から映像伝送端末２００２に対して伝送されているデータが存在すると判定された場合、アンテナ２３０８を経由して、外部端末２００１から伝送されているデータを受信し、記憶部２３０５に記憶した後、端末制御部２３０１に対して、外部端末２００１からのデータを受信したことを示す外部端末伝送データ受信完了通知を発行する（ステップＳ２４１１）。
【０１９２】
端末制御部２３０１は、ステップＳ２４０８でバッファ済フレーム数が所定のフレーム数以上でないと判定された場合、及びステップＳ２４１０，Ｓ２４１１で発行される外部端末伝送データ受信完了通知を受け付けた場合、映像専用伝送路接続終了命令が発行されているかどうかの判定を行う（ステップＳ２４１２）。端末制御部２３０１は、映像専用伝送路接続終了命令が発行されていると判定された場合、ステップＳ２４１３で示される映像専用伝送路の切断処理に遷移し、映像専用伝送路接続終了命令が発行されていないと判定された場合、ステップＳ２４１４で示される、映像伝送処理終了命令が発行されているかどうかの判定処理に遷移する。
【０１９３】
なお、第４の実施形態における映像専用伝送路接続終了命令は、映像データの伝送が完了したことをトリガとして発行される命令であるが、映像専用伝送路の接続が確立された状態で、操作部２３０９の操作により映像専用伝送路の切断命令が入力されたことをトリガとして発行されても良く、本発明の要旨を逸脱しなければ、映像専用伝送路接続終了命令の発行条件は、映像データの伝送完了のみに限定されるものではない。
【０１９４】
端末制御部２３０１は、ステップＳ２４１２で映像専用伝送路終了命令が発行されていると判定された場合、映像専用伝送路の切断処理を開始させる命令である映像専用伝送路切断シーケンス開始命令をネットワーク構築部２３０４に対して発行する。ネットワーク構築部２３０４は、映像専用伝送路切断シーケンス開始命令を受け付けると、無線通信部２３０７及びアンテナ２３０８を経由して、映像受信端末２００３と映像専用伝送路の切断処理を開始する。ネットワーク構築部２３０４は、映像受信端末２００３と映像専用伝送路の切断処理を完了すると、端末制御部２３０１に映像専用伝送路切断処理完了通知を発行する（ステップＳ２４１３）。
【０１９５】
端末制御部２３０１は、ステップＳ２４１２で映像専用伝送路接続終了命令が発行されていないと判定された場合、及びステップＳ２４１３で映像専用伝送路切断処理完了通知を受け付けた場合、映像伝送処理終了命令が発行されているかどうかの判定を行う（ステップＳ２４１４）。端末制御部２３０１は、映像伝送処理終了命令が発行されていた場合、映像伝送端末映像伝送処理を終了し、映像伝送処理終了命令が発行されていない場合、ステップＳ２４０１で示される、接続開始命令が発行されているかどうかの判定処理から再度処理を行う。
【０１９６】
なお、第４の実施形態における映像伝送処理終了命令は、外部端末２００１と映像伝送端末２００２とが非映像専用伝送路での接続を切断したことをトリガとして発行される命令であるが、操作部２３０９の操作により映像伝送端末映像伝送処理の終了命令が入力されたことをトリガとして発行されても良く、本発明の実施形態の要旨を逸脱しなければ、映像伝送処理終了命令の発行条件は、非映像専用伝送路の切断に限定されるものではない。
【０１９７】
図２５は、映像受信端末２００３の構成を示している。本図を用いて映像受信端末２００３の構成を説明する。映像受信端末２００３は、端末制御部２５０１と、表示部２５０２と、ネットワーク接続制御部２５０３と、記憶部２５０４と、フレーム数算出部２５０５と、無線通信部２５０６と、アンテナ２５０７と、操作部２５０８とを備える。
【０１９８】
端末制御部２５０１は映像受信端末２００３の動作を制御する。表示部２５０２は、映像伝送端末２００２から受信し記憶部２５０４に記憶されている映像データに基づく映像を表示する。ネットワーク接続制御部２５０３は、無線通信部２５０６及びアンテナ２５０７を経由して映像伝送端末との映像専用伝送路での接続を確立する。記憶部２５０４は、映像伝送端末２００２から受信した映像データ及びバッファリング済みのフレーム数を記憶する。フレーム数算出部２５０５は、映像伝送端末２００２から受信した映像データの総フレーム数と、表示部２５０２が表示しているフレーム数（表示済みのフレームの数）を比較し、バッファリング済みのフレーム数を算出する。無線通信部２５０６及びアンテナ２５０７は映像伝送端末２００２と無線通信を行う。操作部２５０８は、ユーザが行う操作に基づき入力を受け付けるユーザインターフェースである。
【０１９９】
図２６は、映像受信端末２００３の動作を示している。本図を用いて映像受信端末２００３の動作を説明する。
【０２００】
端末制御部２５０１は、操作部２５０８の操作により端末の電源が投入されたことをトリガとして、映像受信端末映像受信処理を開始する。
【０２０１】
なお、第４の実施形態における映像受信端末映像受信処理は、端末の電源が投入されたことをトリガとして開始される処理であるが、操作部２５０８の操作により映像受信端末映像受信処理の開始命令が入力されたことをトリガとして映像受信端末映像受信処理を開始しても良く、本発明の要旨を逸脱しなければ、映像受信端末映像受信処理の開始条件は、端末の電源が投入されたことに限定されるものではない。
【０２０２】
端末制御部２５０１は、映像受信端末映像受信処理が開始されると、無線通信部２５０６に対して、接続受付通知を受信させる命令である接続受付通知受信開始命令を発行する。無線通信部２５０６は、接続受付通知受信開始命令を受け付けると、アンテナ２５０７を経由して、映像伝送端末２００２から接続受付通知が伝送されているかどうかの検索を行う（ステップＳ２６０１）。端末制御部２５０１は、接続受付通知が伝送されていた場合、接続受付通知を記憶部２５０４に記憶した後、接続受付通知受信完了通知を端末制御部２５０１に発行し、接続受付通知が伝送されていなかった場合、接続受付通知受信失敗通知を端末制御部２５０１に発行する。
【０２０３】
端末制御部２５０１は、ステップＳ２６０１で発行される接続受付通知受信完了通知を受け付けると、映像専用伝送路の接続処理を開始させる命令である映像専用伝送路接続シーケンス開始命令をネットワーク接続制御部２５０３に対して発行する。ネットワーク接続制御部２５０３は、映像専用伝送路接続シーケンス開始命令を受け付けると、無線通信部２５０６及びアンテナ２５０７を経由して、映像伝送端末２００２と映像専用伝送路の接続処理を行い、映像伝送端末２００２と映像専用伝送路の接続を開始する。ネットワーク接続制御部２５０３は、映像伝送端末２００２と映像専用伝送路の接続処理を完了すると、端末制御部２５０１に映像専用伝送路接続処理完了通知を発行する（ステップＳ２６０２）。
【０２０４】
端末制御部２５０１は、映像専用伝送路接続処理完了通知を受け付けると、無線通信部２５０６に対して、映像伝送端末２００２から映像受信端末２００３に送信されたデータが存在するかどうかの判定処理を行わせる映像データ受信判定処理開始命令を発行する。無線通信部２５０６は、映像データ受信判定処理開始命令を受け付けた場合、アンテナ２５０７を経由して、映像伝送端末２００２から映像受信端末２００３に対して伝送されている映像データが存在するかどうかの判定を行う（ステップＳ２６０３）。無線通信部２５０６は、映像データが存在する場合、ステップＳ２６０４で示される映像データの受信処理に遷移し、映像データが存在しない場合、端末制御部２５０１に対して、映像受信端末２００３から映像伝送端末２００２に伝送されている映像データが存在しないことを示す映像データ受信完了通知を発行する。
【０２０５】
無線通信部２５０６は、ステップＳ２６０３で映像データが存在すると判定した場合、アンテナ２５０７を経由して映像データの受信を行い、記憶部２５０４に映像データを記憶した後、端末制御部２５０１に対して、映像データの記憶が完了したことを示す映像データ受信完了通知を発行する（ステップＳ２６０４）。端末制御部２５０１は、ステップＳ２６０４で発行される映像データ受信完了通知を受け付けた場合、表示部２５０２を制御して、記憶部９０４に記憶されている映像データに基づく映像の表示を行う（ステップＳ２６０５）。
【０２０６】
端末制御部２５０１は、ステップＳ２６０５で映像の表示が完了すると、フレーム数算出部２５０５に対して、バッファリング済みのフレーム数を算出させる命令であるフレーム数算出命令を発行する。フレーム数算出部２５０５は、フレーム数算出命令を受け付けると、表示中のフレーム数と、受信した映像データの総フレーム数とを比較し、バッファリング済みのフレーム数を算出して記憶部２５０４に記憶した後、端末制御部２５０１にフレーム数算出完了通知を発行する。バッファリング済みのフレーム数は、例えば受信した映像データの総フレーム数から表示中のフレーム数を減算することにより算出される。端末制御部２５０１は、フレーム数算出完了通知を受け付けると、無線通信部２５０６を制御して、無線通信部２５０６及びアンテナ２５０７を経由して、記憶部２５０４に記憶されているバッファリング済みフレーム数の情報を少なくとも含むバッファ済フレーム数情報を映像伝送端末２００２に送信する（ステップＳ２６０６）。
【０２０７】
端末制御部２５０１は、ステップＳ２６０３で発行される映像データ受信完了通知を受け付けた場合、及びステップＳ２６０６でバッファ済フレーム数情報の送信が完了した場合、映像専用伝送路接続終了命令が発行されているかどうかの判定を行う（ステップＳ２６０７）。端末制御部２５０１は、映像専用伝送路接続終了命令が発行されていた場合、ステップＳ２６０８で示される映像専用伝送路の切断処理を開始し、映像専用伝送路接続終了命令が発行されていない場合、ステップＳ２６０３で示される、映像伝送端末２００２から映像受信端末２００３に対して伝送される映像データのスキャンから再度処理を行う。
【０２０８】
なお、第４の実施形態における映像専用伝送路接続終了命令は、映像データの受信が完了したことをトリガとして発行される命令であるが、映像専用伝送路の接続が確立された状態で、操作部２５０８の操作により映像専用伝送路の切断命令が入力されたことをトリガとして発行されても良く、本発明の要旨を逸脱しなければ、映像専用伝送路接続終了命令の発行条件は、映像データの受信完了のみに限定されるものではない。
【０２０９】
端末制御部２５０１は、ステップＳ２６０７で映像専用伝送路接続終了命令が発行されていた場合、映像専用伝送路の切断処理を開始させる命令である映像専用伝送路切断シーケンス開始命令をネットワーク接続制御部２５０３に対して発行する。ネットワーク接続制御部２５０３は、映像専用伝送路切断シーケンス開始命令を受け付けると、無線通信部２５０６及びアンテナ２５０７を経由して、映像伝送端末２００２と映像専用伝送路の切断処理を行い、映像伝送端末２００２と映像専用伝送路の切断を開始する。ネットワーク接続制御部２５０３は、映像伝送端末２００２と映像専用伝送路の切断処理を完了すると、端末制御部２５０１に映像専用伝送路切断処理完了通知を発行する（ステップＳ２６０８）。
【０２１０】
端末制御部２５０１は、ステップＳ２６０１で発行される接続受付通知受信失敗通知を受け付けた場合、及びステップＳ２６０８で発行される映像専用伝送路切断処理完了通知を受け付けた場合、映像伝送処理終了命令が発行されているかどうかの判定を行う（ステップＳ２６０９）。端末制御部２５０１は、映像伝送処理終了命令が発行されていた場合、映像受信端末映像受信処理を終了し、映像伝送処理終了命令が発行されていない場合、ステップＳ２６０１で示される、接続受付通知が伝送されているかどうかの判定処理から再度処理を行う。
【０２１１】
なお、第４の実施形態における映像受信処理終了命令は、操作部２５０８の操作により端末の電源が切断されたことをトリガとして発行される命令であるが、操作部２５０８の操作により映像受信端末映像受信処理の終了命令が入力されたことをトリガとして映像受信端末映像受信処理を終了しても良く、本発明の要旨を逸脱しなければ、映像受信端末映像受信処理の終了条件は、端末の電源が切断されたことに限定されるものではない。
【０２１２】
また、第４の実施形態においては、映像受信端末２００３でバッファリングされている映像データの量が所定の量以上であった場合にのみ外部端末２００１に伝送指示が送信されることで、非映像専用伝送路における通信を制限し、映像専用伝送路における通信を優先的に行うが、映像伝送端末２００２が、映像専用伝送路において通信が行われている期間は、外部端末２００１に一切伝送指示を送信せず、帯域を映像専用伝送路における通信に全て割り当てても良く、本発明の要旨を逸脱しなければ帯域を映像専用伝送路に全て占有させても良い。
【０２１３】
上述したように、第４の実施形態によれば、映像伝送端末２００２と外部端末２００１の間で非映像専用伝送路を用いてデータ伝送が行われ、映像伝送端末２００２と映像受信端末２００３の間で映像専用伝送路を用いて映像データ伝送が行われる場合に、映像受信端末２００３でバッファリングされている映像データの量（上記の例ではバッファ済みフレーム数）が所定の量以上であれば、外部端末２００１に伝送指示が送信され、映像受信端末２００３でバッファリングされている映像データの量が所定の量よりも少なければ、外部端末２００１に伝送抑制指示が送信される。外部端末２００１は、伝送指示を受信した場合、データの送信を行い、伝送抑制指示を受信した場合、データの送信を行わない。したがって、アクセスポイント（基地局）としての映像伝送端末２００２を含む無線通信システム全体で、リアルタイム性を有するデータを優先して伝送することができる。
【０２１４】
（第５の実施形態）
次に、本発明の第５の実施形態を説明する。第５の実施形態は、第４の実施形態の変形例である。図２７は、外部端末からのデータ伝送要求を映像伝送端末が受け付けた場合にのみデータを伝送可能な無線通信システムにおいて、映像伝送端末が、映像受信端末に映像を送信している最中は外部端末のデータ伝送要求を拒否し、所定のフレーム数の映像の伝送が完了した後、１フレームの映像を伝送するのに要する伝送時間だけ外部端末のデータ伝送要求を受け付けることで、外部端末と映像伝送端末との間のデータ伝送を制限し、映像伝送端末と映像受信端末との間の通信を優先的に行わせる映像専用伝送路優先システムの一例である。
【０２１５】
図２７に示す例では、映像伝送端末２７０２が構築したネットワークにおいて、外部端末２７０１と映像伝送端末２７０２とが、映像伝送端末２７０２をアクセスポイント、外部端末２７０１をステーションとして、非映像専用伝送路での接続を確立している環境で、映像伝送端末２７０２と映像受信端末２７０３とが映像専用伝送路での接続を確立した場合の各端末の通信の状態を示している。図２７に示す例では、映像伝送端末２７０２が、映像受信端末２７０３に所定のフレーム数の映像データを送信し終えるまで、外部端末２７０１からのデータ伝送要求を拒否し、映像受信端末２７０３に所定のフレーム数の映像データを送信し終えた後、１フレームの映像データを伝送するために要する伝送時間だけ外部端末２７０１からのデータ伝送要求を受け付ける。これによって、映像伝送端末２７０２と映像受信端末２７０３との間の通信が優先される。つまり、映像伝送端末２７０２が送信権を獲得する確率が、外部端末２７０１が送信権を獲得する確率よりも高くなる。映像受信端末２００３に十分な量の映像データが伝送されていれば、映像受信端末２００３で十分な量の映像データがバッファリングされることが期待され、映像伝送端末２００２が映像データの送信を待機してもよいので、その待機時間を利用して、外部端末２００１から映像伝送端末２００２にデータが伝送される。
【０２１６】
図２７（Ａ）は、映像伝送端末２７０２が構築したネットワークにおいて、外部端末２７０１と映像伝送端末２７０２とが、非映像専用伝送路での接続を確立済みであり、映像伝送端末２７０２と映像受信端末２７０３とが映像専用伝送路での接続を確立した様子を示している。
【０２１７】
図２７（Ｂ）は、映像伝送端末２７０２が構築したネットワークにおいて、外部端末２７０１と映像伝送端末２７０２とが、非映像専用伝送路での接続を確立済みであり、かつ映像伝送端末２７０２と映像受信端末２７０３とが映像専用伝送路での接続を確立済みであり、映像伝送端末２７０２から映像受信端末２７０３に映像データが送信されており、外部端末２７０１から映像伝送端末２７０２に伝送されるデータ伝送要求を、映像伝送端末２７０２が拒否している様子を示している。
【０２１８】
図２７（Ｃ）は、映像伝送端末２７０２が構築したネットワークにおいて、外部端末２７０１と映像伝送端末２７０２とが、非映像専用伝送路での接続を確立済みであり、かつ映像伝送端末２７０２と映像受信端末２７０３とが映像専用伝送路での接続を確立済みであり、映像伝送端末２７０２が映像受信端末２７０３に所定フレーム数の映像データを送信し終え、外部端末２７０１から映像伝送端末２７０２に伝送されるデータ伝送要求を、映像伝送端末２７０２が受け付けている様子を示している。
【０２１９】
図２７（Ｄ）は、映像伝送端末２７０２が構築したネットワークにおいて、外部端末２７０１と映像伝送端末２７０２とが、非映像専用伝送路での接続を確立済みであり、かつ映像伝送端末２７０２と映像受信端末２７０３とが映像専用伝送路での接続を確立済みであり、映像伝送端末２７０２から割り当てられた伝送時間の間、外部端末２７０１が映像伝送端末２７０２にデータを伝送している様子を示している。
【０２２０】
図２７（Ｅ）は、映像伝送端末２７０２が構築したネットワークにおいて、外部端末２７０１と映像伝送端末２７０２とが、非映像専用伝送路での接続を確立済みであり、かつ映像伝送端末２７０２と映像受信端末２７０３とが映像専用伝送路での接続を確立済みであり、映像伝送端末２７０２が、外部端末２７０１に対して割り当てた伝送時間が経過した後、再度外部端末２７０１から映像伝送端末２７０２に伝送されるデータ伝送要求を拒否し、映像伝送端末２７０２から映像受信端末２７０３に映像データが伝送されている様子を示している。
【０２２１】
なお、第５の実施形態においては、上記のデータ伝送要求によるデータ伝送制御はＷＭＭ−Ａｄｍｉｓｓｉｏｎ  Ｃｏｎｔｒｏｌで定義される手法に基づき行われるものとし、ＷＭＭ−Ａｄｍｉｓｓｉｏｎ  Ｃｏｎｔｒｏｌによるデータ伝送の制御が、無線通信のデータリンクレベルの伝送制御となる。
【０２２２】
図２８は、外部端末２７０１の動作を示している。本図を用いて外部端末２７０１の動作を説明する。
【０２２３】
なお、第５の実施形態における外部端末２７０１の構成の一部は、図２１で示される構成と同じ構成であるが、通信制御部２１０２が映像伝送端末２７０２にデータ伝送要求を送信することが異なる。また、第５の実施形態における外部端末２７０１の動作の一部は、第４の実施形態で説明した動作と同じ動作であるが、ステップＳ２８０１及びステップＳ２８０２の動作が、第４の実施形態で説明した動作とは異なる。以下、各ステップの動作について説明する。
【０２２４】
ステップＳ２８０１は、ステップＳ２２０３で伝送待機データが無線通信部２１０５に存在すると判定された場合、及びステップＳ２２０４で映像伝送端末２７０２に伝送するデータが記憶部２１０４に記憶されていると判定された場合、通信制御部２１０２にデータ伝送要求伝送命令を発行する処理である。ステップＳ２８０１では、通信制御部２１０２は、データ伝送要求伝送命令を受け付けると、無線通信部２１０５及びアンテナ２１０６を経由して、映像伝送端末２７０２にデータ伝送要求を送信する（ステップＳ２８０１）。
【０２２５】
通信制御部２１０２は、データ伝送要求を送信すると、無線通信部２１０５及びアンテナ２１０６を制御して、映像伝送端末２７０２からの応答を受信し、映像伝送端末２７０２からの応答の内容を参照する（ステップＳ２８０２）。通信制御部２１０２は、映像伝送端末２７０２からの応答が拒否を示している場合、端末制御部２１０１に対して、データの伝送が失敗したことを示すデータ伝送完了通知を発行し、映像伝送端末２７０２からの応答が受付を示している場合、ステップＳ２２０６で示されるデータ伝送処理に遷移する。
【０２２６】
図２９は、第５の実施形態における映像伝送端末２７０２の動作を示している。本図を用いて映像伝送端末２７０２の動作を説明する。
【０２２７】
なお、第５の実施形態における映像伝送端末２７０２の構成の一部は、図２３で示される構成と同じ構成であるが、フレーム数判定部２３０２が、映像伝送端末２７０２から映像受信端末２７０３に対して送信された映像データのフレーム数をカウントし、所定のフレーム数の映像データを送信済みかどうかの判定を行い、通信制御部２３０３が、無線通信部２３０７及びアンテナ２３０８を制御して、外部端末２７０１から伝送されるデータ伝送要求を受信し、データ伝送要求に対する応答であるデータ伝送応答を送信する制御を行うことが異なる。なお、フレーム数判定部２３０２は、映像伝送端末２７０２から映像受信端末２７０３に対して送信された映像データのフレーム数（カウント数）を内部に保持しており、カウントアップを行ったとき、保持しているフレーム数をカウントアップに応じて更新する。
【０２２８】
また、本発明の第５の実施形態における映像伝送端末２７０２の動作の一部は、第４の実施形態で説明した動作と同じ動作であるが、ステップＳ２９０１からステップＳ２９０８の動作が、第４の実施形態で説明した動作とは異なる。以下、各ステップの動作について説明する。
【０２２９】
ステップＳ２９０１は、ステップＳ２４０６の映像受信端末２７０３に対する映像データの伝送が完了した後に行われる処理である。ステップＳ２９０１では、端末制御部２３０１は、映像受信端末２７０３に対する映像データの伝送が完了すると、フレーム数判定部２３０２を制御して、送信済み映像データのフレーム数をカウントさせる。フレーム数判定部２３０２は、送信済み映像データのフレーム数をカウントアップし、内部に保持しているフレーム数を更新する。
【０２３０】
ステップＳ２９０２は、ステップＳ２９０１の送信済み映像データのフレーム数のカウントアップが完了した後に行われる処理である。ステップＳ２９０２では、端末制御部２３０１は、無線通信部２３０７及びアンテナ２３０８を制御して、外部端末２７０１からデータ伝送要求が伝送されているかどうかのスキャンを行う。端末制御部２３０１は、データ伝送要求が伝送されている場合、ステップＳ２９０３で示される、映像データを所定フレーム数送信済みかどうかの判定処理を行い、データ伝送要求が伝送されていない場合、ステップＳ２４１２で示される、映像専用伝送路接続終了命令が発行されているかどうかの判定処理に遷移する。
【０２３１】
ステップＳ２９０３は、ステップＳ２９０２で外部端末２７０１からデータ伝送要求が伝送されていると判定された場合に行われる処理である。ステップＳ２９０３では、端末制御部２３０１は、外部端末２７０１からデータ伝送要求が伝送されていると判定された場合、フレーム数判定部２３０２を制御して、映像受信端末２７０３に映像データを所定のフレーム数（図２９では所定の自然数Ｎ）だけ送信済みかどうかの判定を行わせる。端末制御部２３０１は、映像データを所定のフレーム数だけ送信済みであると判定された場合、ステップＳ２９０６で示される、外部端末２７０１から受信したデータ伝送要求に対して受付の応答を返す処理に遷移し、映像データを所定のフレーム数だけ送信済みでない（送信済みの映像データのフレーム数が所定のフレーム数未満である）と判定された場合、ステップＳ２９０４で示される、外部端末２７０１から受信したデータ伝送要求に対して受付の応答を返す処理に遷移する。
【０２３２】
ステップＳ２９０４は、ステップＳ２９０３で映像データを所定のフレーム数だけ送信済みでないと判定された場合に行われる処理である。ステップＳ２９０４では、端末制御部２３０１は、無線通信部２３０７及びアンテナ２３０８を制御して、外部端末２７０１から受信したデータ伝送要求に対する拒否の応答を返信する。
【０２３３】
ステップＳ２９０５は、ステップＳ２４０３で映像伝送端末２７０２が映像専用伝送路に接続済みでないと判定された場合に行われる処理である。ステップＳ２９０５では、端末制御部２３０１は、無線通信部２３０７及びアンテナ２３０８を制御して、外部端末２７０１からデータ伝送要求が伝送されているかどうかのスキャンを行う。端末制御部２３０１は、データ伝送要求が伝送されている場合、ステップＳ２９０６で示される、外部端末２７０１から受信したデータ伝送要求に対して受付の応答を返す処理に遷移し、データ伝送要求が伝送されていない場合、ステップＳ２４１２で示される、映像専用伝送路接続終了命令が発行されているかどうかの判定処理に遷移する。
【０２３４】
ステップＳ２９０６は、ステップＳ２９０３で映像データを所定のフレーム数だけ送信済みであると判定された場合、及びステップＳ２９０５で外部端末２７０１からデータ伝送要求が伝送されていると判定された場合に行われる処理である。ステップＳ２９０６では、端末制御部２３０１は、無線通信部２３０７及びアンテナ２３０８を制御して、外部端末２７０１から受信したデータ伝送要求に対する受付の応答を返信する。
【０２３５】
ステップＳ２９０７は、ステップＳ２９０６で受付の応答を返信した後に行われる処理である。ステップＳ２９０７では、端末制御部２３０１は、ステップＳ２９０６で受付の応答を返信した後、無線通信部２３０７及びアンテナ２３０８を制御して、外部端末２７０１から映像伝送端末２７０２に伝送されるデータを受信し、記憶部２３０５に記憶する。
【０２３６】
ステップＳ２９０８は、ステップＳ２９０７で外部端末２７０１からデータを受信し、記憶部２３０５に記憶した後に行われる処理である。ステップＳ２９０８では、端末制御部２３０１は、ステップＳ２９０７で外部端末２７０１からデータを受信し、記憶部２３０５に記憶した後、フレーム数判定部２３０２を制御し、送信済み映像データのフレーム数のカウントをクリアする（初期値にリセットする）（ステップＳ２９０８）。これによって、フレーム数判定部２３０２が内部に保持しているフレーム数がクリアされる。なお、送信済み映像データのフレーム数をカウントした値は、図２９に示す動作の開始時に初期値（例えば０）に設定される。
【０２３７】
図３０は、映像受信端末２７０３の構成を示している。第５の実施形態における映像受信端末２７０３の構成は、図２５で示される映像受信端末２００３の構成から、フレーム数算出部２５０５が外された構成となる。
【０２３８】
図３１は、映像受信端末２７０３の動作を示している。第５の実施形態における映像受信端末２７０３の動作は、図２６で示される映像受信端末２００３の動作における、ステップＳ２６０６で示されるバッファ済みフレーム数の送信処理を行わない動作となる。
【０２３９】
なお、第５の実施形態においては、映像伝送端末２７０２が送信した映像データの量が所定の量以上であった場合にのみ、外部端末２７０１にデータの送信を許可する応答が送信されることで、非映像専用伝送路における通信を制限し、映像専用伝送路における通信が優先的に行うが、映像伝送端末２７０２が、映像専用伝送路において通信が行われている期間は外部端末２７０１に常にデータの送信を拒否する応答を送信し続け、帯域を映像専用伝送路における通信に全て割り当てても良く、本発明の要旨を逸脱しなければ帯域を映像専用伝送路に全て占有させても良い。
【０２４０】
上述したように、第５の実施形態によれば、映像伝送端末２７０２と外部端末２７０１の間で非映像専用伝送路を用いてデータ伝送が行われ、映像伝送端末２７０２と映像受信端末２７０３の間で映像専用伝送路を用いて映像データ伝送が行われる場合に、映像伝送端末２７０２から映像受信端末２７０３に送信済みの映像データの量（上記の例ではフレーム数）が所定の量以上であれば、データ伝送要求に対する許可の応答が外部端末２００１に送信され、映像伝送端末２７０２から映像受信端末２７０３に送信済みの映像データの量が所定の量よりも少なければ、データ伝送要求に対する拒否の応答が外部端末２００１に送信される。外部端末２００１は、データ伝送要求に対する許可の応答を受信した場合、データの送信を行い、データ伝送要求に対する拒否の応答を受信した場合、データの送信を行わない。したがって、アクセスポイント（基地局）としての映像伝送端末２７０２を含む無線通信システム全体で、リアルタイム性を有するデータを優先して伝送することができる。
【０２４１】
以上、図面を参照して本発明の実施形態について詳述してきたが、具体的な構成は上記の実施形態に限られるものではなく、本発明の要旨を逸脱しない範囲の設計変更等も含まれる。
【符号の説明】
【０２４２】
１０１，１１０１，１５０１，２００１，２７０１  外部端末、１０２，１１０２，１５０２，２００２，２７０２  映像伝送端末、１０３，１１０３，１５０３，２００３，２７０３  映像受信端末、３０１，５０１，９０１，２１０１，２３０１，２５０１  端末制御部、３０２，５０２，２１０２，２３０３  通信制御部、３０３，９０３，２１０３，２５０３  ネットワーク接続制御部、３０４，５０４，９０４，２１０４，２３０５，２５０４  記憶部、３０５，５０６，９０５，２１０５，２３０７，２５０６  無線通信部、３０６，５０７，９０６，２１０６，２３０８，２５０７  アンテナ、３０７，５０８，９０７，２１０７，２３０９，２５０８  操作部、５０３，２３０４  ネットワーク構築部、５０５，２３０６  伝送路判定部、９０２，２５０２  表示部、１８０１  送信権獲得カテゴリ生成部、２３０２  フレーム数判定部、２５０５  フレーム数算出部
【図１】
2014082617.tif 000003
【図２】
2014082617.tif 000004
【図３】
2014082617.tif 000005
【図４】
2014082617.tif 000006
【図５】
2014082617.tif 000007
【図６】
2014082617.tif 000008
【図７】
2014082617.tif 000009
【図８】
2014082617.tif 000010
【図９】
2014082617.tif 000011
【図１０】
2014082617.tif 000012
【図１１】
2014082617.tif 000013
【図１２】
2014082617.tif 000014
【図１３】
2014082617.tif 000015
【図１４】
2014082617.tif 000016
【図１５】
2014082617.tif 000017
【図１６】
2014082617.tif 000018
【図１７】
2014082617.tif 000019
【図１８】
2014082617.tif 000020
【図１９】
2014082617.tif 000021
【図２０】
2014082617.tif 000022
【図２１】
2014082617.tif 000023
【図２２】
2014082617.tif 000024
【図２３】
2014082617.tif 000025
【図２４】
2014082617.tif 000026
【図２５】
2014082617.tif 000027
【図２６】
2014082617.tif 000028
【図２７】
2014082617.tif 000029
【図２８】
2014082617.tif 000030
【図２９】
2014082617.tif 000031
【図３０】
2014082617.tif 000032
【図３１】
2014082617.tif 000033